(57)【要約】【課題】  無線通信システムにおけるプリエンプション指示のサイズを決定するための方法およびデバイスを提供する。【解決手段】  一例において、ユーザ機器（ＵＥ）は、１つ以上のプリエンプション指示に対応する下りリンク制御情報（ＤＣＩ）に関連するサイズで設定される。いくつかの例では、サイズは、規定値の倍数ではない第１の値に等しい。代替的かつ／あるいは追加的に、ＵＥは、ＤＣＩに関連するフィールドの開始位置で設定される。開始位置は、規定値の倍数である第２の値に等しい。代替的かつ／あるいは追加的に、第１のプリエンプション指示を含む第１のＤＣＩは、サイズおよび／または開始位置に基づいてＵＥに送信される。【選択図】  図１９
2019186927.tif 000002
【特許請求の範囲】
【請求項１】
１つ以上のプリエンプション指示に対応する下りリンク制御情報（ＤＣＩ）に関連するサイズでユーザ機器（ＵＥ）を設定することであって、該サイズは規定値の倍数ではない第１の値に等しい、設定することと、
前記ＤＣＩに関連するフィールドの開始位置で前記ＵＥを設定することであって、該開始位置が前記規定値の倍数である第２の値に等しい、設定することと、
前記サイズおよび前記開始位置に基づいて、第１のプリエンプション指示を含む第１のＤＣＩを前記ＵＥに送信することと、を含む方法。
【請求項２】
前記ＤＣＩに関連する前記サイズで前記ＵＥを設定することは、
前記サイズに基づいた設定を生成することと、
前記設定を前記ＵＥに送信することと、
を含む、請求項１に記載の方法。
【請求項３】
前記サイズは、DownlinkPreeemption情報要素内のdci-PayloadSizeパラメータに対応する、請求項１に記載の方法。
【請求項４】
前記ＤＣＩに関連する前記フィールドの開始位置で前記ＵＥを設定することは、
前記開始位置に基づいた設定を生成することと、
前記設定を前記ＵＥに送信することと、
を含む、請求項１に記載の方法。
【請求項５】
前記開始位置が、DownlinkPreeemption情報要素内のpositionInDCIパラメータに対応する、請求項１に記載の方法。
【請求項６】
前記第１のＤＣＩが、ＤＣＩフォーマット２＿１に関連する、請求項１に記載の方法。
【請求項７】
前記サイズの前記第１の値は、０から最大サイズ値の間の整数に等しい、請求項１に記載の方法。
【請求項８】
前記規定値が１４に等しい、請求項１に記載の方法。
【請求項９】
基地局から、１つ以上のプリエンプション指示に対応する下りリンク制御情報（ＤＣＩ）に関連するサイズを示す第１の設定を受信することであって、該サイズは、規定値の倍数ではない第１の値に等しい、受信することと、
前記基地局から、前記ＤＣＩに関連するフィールドの開始位置を指示する第２の設定を受信することであって、該開始位置は、前記規定値の倍数である第２の値に等しい、受信することと、
前記第１の設定および前記第２の設定に基づいて、前記基地局から第１のプリエンプション指示を含む第１のＤＣＩを受信することと、
を含む方法。
【請求項１０】
前記第１の設定を受信することに応答して、再設定失敗に関連する１つ以上の動作を実行しないことを含む、請求項９記載の方法。
【請求項１１】
前記第２の設定を受信することに応答して、再設定失敗に関連する１つ以上の動作を実行しないことを含む、請求項９に記載の方法。
【請求項１２】
前記基地局から、前記ＤＣＩに関連する前記フィールドの開始位置を示す第３の設定を受信することであって、該開始位置は、規定値の倍数ではない第３の値に等しい、設定することと、
前記第３の設定に基づいて、前記基地局から第２のプリエンプション指示を含む第２のＤＣＩを受信しないことと、を含む請求項９に記載の方法。
【請求項１３】
前記第３の設定を受信することに応答して、再設定失敗に関連する１つ以上の動作を実行することを含む、請求項１２に記載の方法。
【請求項１４】
前記第１のＤＣＩが、ＤＣＩフォーマット２＿１に関連する、請求項９に記載の方法。
【請求項１５】
前記サイズの前記第１の値は、０から最大サイズ値の間の整数に等しい、請求項９に記載の方法。
【請求項１６】
前記規定値が１４に等しい、請求項９に記載の方法。
【請求項１７】
プロセッサと、
前記プロセッサによって実行されると動作の実行を引き起こす、プロセッサ実行可能な命令を含むメモリと、
を含み、前記動作は、
基地局から、１つ以上のプリエンプション指示に対応する下りリンク制御情報（ＤＣＩ）に関連するサイズを示す第１の設定を受信することであって、該サイズは、規定値の倍数ではない第１の値に等しい、受信することと、
前記基地局から、前記ＤＣＩに関連するフィールドの開始位置を指示する第２の設定を受信することであって、該開始位置は、前記規定値の倍数である第２の値に等しい、受信することと、
前記第１の設定および前記第２の設定に基づいて、前記基地局から第１のプリエンプション指示を含む第１のＤＣＩを受信することと、を含む、
【請求項１８】
前記基地局から、前記ＤＣＩに関連する前記フィールドの開始位置を指示する第３の設定を受信することであって、前記開始位置は、前記規定値の倍数ではない第３の値に等しい、受信することと、
前記第３の設定に基づいて、前記基地局から第２のプリエンプション指示を含む第２のＤＣＩを受信しないことと、をさらに含む、請求項１７に記載の通信デバイス。
【請求項１９】
前記第３の設定を受信することに応答して、再設定の失敗に関連する１つ以上の動作を実行することをさらに含む、請求項１８に記載の通信デバイス。
【請求項２０】
前記規定値が１４に等しい、請求項１７に記載の通信デバイス。
【発明の詳細な説明】
【技術分野】
【０００１】
本願は、２０１８年３月３０日に出願された米国仮特許出願第６２／６５０，６６０号の利益を主張するものであり、そのすべての開示は全体として参照により本明細書に援用される。本願は、２０１８年４月２日に出願された米国仮特許出願第６２／６５１，４９３号の利益を主張するものであり、そのすべての開示は全体として参照により本明細書に援用される。
【０００２】
この開示は、概して、無線通信ネットワークに関連し、より詳細には、無線通信システムにおけるプリエンプション指示のサイズを決定するための方法およびデバイスに関連する。
【背景技術】
【０００３】
移動体通信デバイスとの大量データの通信に対する要求が急速に高まる中、従来の移動体音声通信ネットワークは、インターネットプロトコル（ＩＰ）データパケットをやり取りするネットワークへと発展している。そのようなＩＰデータパケット通信は、移動体通信デバイスのユーザに、ボイスオーバＩＰ、マルチメディア、マルチキャスト、およびオンデマンド通信サービスを提供可能である。
【０００４】
例示的なネットワーク構造は、発展型ユニバーサル地上無線アクセスネットワーク（Ｅ−ＵＴＲＡＮ）である。Ｅ−ＵＴＲＡＮシステムは、上記のボイスオーバＩＰおよびマルチメディアサービスを実現するために、高いデータスループットを提供可能である。現在、次世代（例えば、５Ｇ）の新しい無線技術が３ＧＰＰ標準化機構によって論じられている。このため、現行の３ＧＰＰ標準内容に対する変更が現在提出され、３ＧＰＰ標準の発展および確定に向けて検討されている。
【発明の概要】
【０００５】
本開示によれば、１つ以上のデバイスおよび／または方法が提供される。一例において、ユーザ機器（ＵＥ）は、１つ以上のプリエンプション指示に対応する下りリンク制御情報（ＤＣＩ）に関連するサイズで設定される。いくつかの例では、サイズは、規定値の倍数ではない第１の値に等しい。代替的かつ／あるいは追加的に、ＵＥは、ＤＣＩに関連するフィールドの開始位置で設定される。開始位置は、規定値の倍数である第２の値に等しい。代替的かつ／あるいは追加的に、第１のプリエンプション指示を含む第１のＤＣＩは、サイズおよび／または開始位置に基づいてＵＥに送信される。
【図面の簡単な説明】
【０００６】
【図１】例示的な一実施形態による無線通信システムの図を示す。
【０００７】
【図２】例示的な一実施形態による送信機システム（アクセスネットワークとしても知られている）および受信機システム（ユーザ機器またはＵＥとしても知られている）のブロック図である。
【０００８】
【図３】例示的な一実施形態による通信システムの機能ブロック図である。
【０００９】
【図４】例示的な一実施形態による図３のプログラムコードの機能ブロック図である。
【００１０】
【図５】直交周波数分割多重（ＯＦＤＭ）ヌメロロジに関連する表を示す。
【００１１】
【図６】上りリンク−下りリンクタイミング関係の一例を示す。
【００１２】
【図７Ａ】ノーマル・サイクリック・プレフィックス（ＣＰ）の場合のスロット当たりのＯＦＤＭシンボル数、フレーム当たりのスロット数および／またはサブフレーム当たりのスロット数に関連する表を示す。
【００１３】
【図７Ｂ】エクステンデットＣＰの場合のスロット当たりのＯＦＤＭシンボル数、フレーム当たりのスロット数および／またはサブフレーム当たりのスロット数に関連する表を示す。
【００１４】
【図８】ノーマルＣＰにおけるスロットフォーマットに関連する表を示す。
【００１５】
【図９】例示的な物理ランダムアクセスチャネル（ＰＲＡＣＨ）プリアンブルのための開始位置に関連するテーブルを示す。
【００１６】
【図１０】例示的なＰＲＡＣＨプリアンブルのための開始位置に関連するテーブルを示す。
【００１７】
【図１１】制御チャネル要素（ＣＣＥ）集約レベルおよび／またはＣＣＥアグリゲーションレベル毎の物理下りリンク制御チャネル（ＰＤＣＣＨ）候補数に関連する表を示す。
【００１８】
【図１２】スロット当たりおよび／またはサービングセル当たりの最大ＰＤＣＣＨ候補数に関連するテーブルを示す。
【００１９】
【図１３】スロット当たりおよび／またはサービングセル当たりの重複しない最大ＣＣＥ数に関連するテーブルを示す。
【００２０】
【図１４】例示的なDownlinkPreemption情報要素を示す。
【００２１】
【図１５】例示的な一実施形態によるフローチャートである。
【００２２】
【図１６】例示的な一実施形態によるフローチャートである。
【００２３】
【図１７】例示的な一実施形態によるフローチャートである。
【００２４】
【図１８】例示的な一実施形態によるフローチャートである。
【００２５】
【図１９】例示的な一実施形態によるフローチャートである。
【００２６】
【図２０】例示的な一実施形態によるフローチャートである。
【発明を実施するための形態】
【００２７】
以下に説明する例示的な無線通信システムおよびデバイスは、無線通信システムを採用し、ブロードキャストサービスをサポートする。無線通信システムは、音声、データ等の様々なタイプの通信を提供するように広く展開されている。これらのシステムは、符号分割多元接続（ＣＤＭＡ）、時間分割多元接続（ＴＤＭＡ）、直交周波数分割多元接続（ＯＦＤＭＡ）、３ＧＰＰ  ＬＴＥ（ロングタームエボリューション）無線アクセス、３ＧＰＰ  ＬＴＥ−ＡもしくはＬＴＥ−アドバンスト（ロングタームエボリューションアドバンスト）、３ＧＰＰ２  ＵＭＢ（Ultra  Mobile  Broadband：超モバイル広帯域）、ＷｉＭａｘ、またはその他何らかの変調技術に基づき得る。
【００２８】
特に、以下に説明する例示的な無線通信システムおよびデバイスは、本明細書において３ＧＰＰと呼ばれる「第３世代パートナーシッププロジェクト」という名称のコンソーシアムにより提示される標準などの１つ以上の標準をサポートするように設計されてもよく、その標準は、R1-1803554,  3GPP  TS  38.213  V15.0.1,  “NR  Physical  layer  procedures  for  control”,  Samsung;  R1-1803553,  “CR  to  38.212  capturing  the  Jan18  ad-hoc  and  RAN1#92  meeting  agreements”,  Huawei;  RP-180479,  “Corrections  for  EN-DC”,  Ericssonを含む。上記に挙げた標準および文書は、全体として参照により本明細書に明示的に援用される。
【００２９】
図１は、本開示の１つ以上の実施形態に従った多重アクセス無線通信システムを示している。アクセスネットワーク１００（ＡＮ）は、複数のアンテナグループを含み、あるグループは１０４および１０６、別のグループは１０８および１１０、また追加のグループは１１２および１１４を含む。図１においては、各アンテナグループに対して、アンテナが２つしか示されていないが、より多くのまたはより少ないアンテナが各アンテナグループに利用されてもよい。アクセス端末１１６（ＡＴ）は、アンテナ１１２および１１４と通信しており、アンテナ１１２および１１４は、順方向リンク１２０を介して情報をアクセス端末１１６に送信すると共に、逆方向リンク１１８を介して情報をアクセス端末１１６から受信している。ＡＴ１２２は、アンテナ１０６および１０８と通信しており、アンテナ１０６および１０８は、順方向リンク１２６を介して情報をＡＴ１２２に送信すると共に、逆方向リンク１２４を介して情報をＡＴ１２２から受信している。周波数分割複信（ＦＤＤ）システムにおいては、通信リンク１１８、１２０、１２４、および１２６は通信に異なる周波数を使用してよい。例えば、順方向リンク１２０では、逆方向リンク１１８によって使用される周波数とは異なる周波数を使用してもよい。
【００３０】
アンテナの各グループおよび／またはアンテナが通信するように設計されたエリアは、アクセスネットワークのセクターと呼ばれることが多い。本実施形態では、アンテナグループはそれぞれ、アクセスネットワーク１００によってカバーされるエリアのセクターにおいて、アクセス端末と通信するように設計され得る。
【００３１】
順方向リンク１２０および１２６を介した通信では、アクセスネットワーク１００の送信アンテナは、異なるアクセス端末１１６および１２２に対する順方向リンクの信号対雑音比を改善するために、ビームフォーミングを利用してもよい。また、カバレッジにランダムに分散したアクセス端末へ送信するためにビームフォーミングを使用するアクセスネットワークは、通常、１つのアンテナからすべてのそのアクセス端末に送信するアクセスネットワークよりも、隣接セル内のアクセス端末への干渉を少なくすることができる。
【００３２】
アクセスネットワーク（ＡＮ）は、端末と通信するのに使用される固定局または基地局としてもよく、アクセスポイント、Ｎｏｄｅ  Ｂ、基地局、拡張型基地局、ｅＮｏｄｅＢ、またはその他何らかの専門用語で呼ばれることもある。アクセス端末（ＡＴ）は、ユーザ機器（ＵＥ）、無線通信デバイス、端末、アクセス端末、またはその他何らかの専門用語で呼ばれることもある。
【００３３】
図２は、多入力多出力（ＭＩＭＯ）システム２００における送信機システム２１０（アクセスネットワークとしても知られている）および受信機システム２５０（アクセス端末（ＡＴ）またはユーザ機器（ＵＥ）としても知られている）の実施形態を表す。送信機システム２１０では、多くのデータストリームのトラフィックデータがデータ源２１２から送信（ＴＸ）データプロセッサ２１４に提供され得る。
【００３４】
一実施形態では、各データストリームは、それぞれの送信アンテナを介して送信される。ＴＸデータプロセッサ２１４は、データストリームに対して選択された特定の符号化方式に基づいて、各データストリームについてのトラフィックデータをフォーマット、符号化、およびインターリーブして、符号化データを提供する。
【００３５】
各データストリームについての符号化データを、ＯＦＤＭ技術を使用してパイロットデータと多重化してよい。パイロットデータは、代表的には、既知の方法で処理される既知のデータパターンであり、受信機システムでチャネル応答を推定するのに使用され得る。そして、各データストリームについての多重化パイロットおよび符号化データは、データストリームに対して選択された特定の変調方式（例えば、二位相偏移変調（ＢＰＳＫ）、四位相偏移変調（ＱＰＳＫ）、Ｍアレイ偏移変調（Ｍ−ＰＳＫ）、またはＭアレイ直角位相振幅変調（Ｍ−ＱＡＭ））に基づいて変調（すなわち、シンボルマッピング）され、変調シンボルを提供し得る。各データストリームについてのデータレート、符号化、および変調は、プロセッサ２３０により実行される命令によって決定され得る。
【００３６】
そして、すべてのデータストリームについての変調シンボルはＴＸ  ＭＩＭＯプロセッサ２２０に与えられ、これが（例えば、ＯＦＤＭの場合に）変調シンボルをさらに処理し得る。そして、ＴＸ  ＭＩＭＯプロセッサ２２０は、ＮＴ個の変調シンボルストリームをＮＴ個の送信機（ＴＭＴＲ）２２２ａ〜２２２ｔに提供する。いくつかの実施形態において、ＴＸ  ＭＩＭＯプロセッサ２２０は、ビームフォーミング加重をデータストリームのシンボルおよびシンボルが送信されているアンテナに適用し得る。
【００３７】
各送信機２２２は、各シンボルストリームを受信および処理して１つ以上のアナログ信号を提供し、さらに、アナログ信号を調節（例えば、増幅、フィルタリング、およびアップコンバート）して、ＭＩＭＯチャネルを介した送信に適した変調信号を提供する。そして、送信機２２２ａ〜２２２ｔからのＮＴ個の変調信号がそれぞれ、ＮＴ個のアンテナ２２４ａ〜２２４ｔから送信され得る。
【００３８】
受信機システム２５０においては、送信された変調信号はＮＲ個のアンテナ２５２ａ〜２５２ｒによって受信され、各アンテナ２５２からの受信信号は、各受信機（ＲＣＶＲ）２５４ａ〜２５４ｒに提供され得る。各受信機２５４は、それぞれの受信信号を調節（例えば、フィルタリング、増幅、およびダウンコンバート）して、調節された信号をデジタル化してサンプルを与え、かつ／あるいは、これらのサンプルを処理して対応する「受信」シンボルストリームを提供し得る。
【００３９】
そして、ＲＸデータプロセッサ２６０は、特定の受信機処理技術に基づいて、ＮＲ個の受信機２５４からのＮＲ個の受信シンボルストリームを受信および処理して、ＮＴ個の「検出」シンボルストリームを提供する。そして、ＲＸデータプロセッサ２６０は、各検出シンボルストリームを復調、デインターリーブ、および復号して、データストリームについてのトラフィックデータを復元し得る。ＲＸデータプロセッサ２６０による処理は、送信機システム２１０でのＴＸ  ＭＩＭＯプロセッサ２２０およびＴＸデータプロセッサ２１４により実行される処理と相補的であり得る。
【００４０】
プロセッサ２７０は、どのプリコーディングマトリクス（後述）使用するかを定期的に決定し得る。プロセッサ２７０は、マトリクス指標部およびランク値部を含む逆方向リンクメッセージを構築する。
【００４１】
逆方向リンクメッセージは、通信リンクおよび／または受信データストリームに関する様々なタイプの情報を含み得る。そして、逆方向リンクメッセージは、データ源２３６からの多くのデータストリームについてのトラフィックデータも受信し得るＴＸデータプロセッサ２３８により処理され、変調器２８０により変調され、送信機２５４ａ〜２５４ｒにより調節され、かつ／あるいは、送信機システム２１０に送り戻され得る。
【００４２】
送信機システム２１０では、受信機システム２５０からの変調信号がアンテナ２２４により受信され、受信機２２２により調節され、復調器２４０により復調され、ＲＸデータプロセッサ２４２により処理されて、受信機システム２５０により送信された逆方向リンクメッセージを抽出する。そして、プロセッサ２３０は、ビームフォーミング加重を決定するのにどのプリコーディングマトリクスを使用するかを決定してもよく、そして、抽出されたメッセージを処理し得る。
【００４３】
図３は、開示主題の一実施形態による通信デバイスの代替的な簡易機能ブロック図を表す。図３に示すように、無線通信システムにおける通信デバイスは、図１のＵＥ（もしくはＡＴ）１１６および１２２または図１の基地局（もしくはＡＮ）１００を実現するのに利用することができ、無線通信システムは、好ましくはＬＴＥシステムである。通信デバイスは、入力デバイス３０２、出力デバイス３０４、制御回路３０６、中央演算処理装置（ＣＰＵ）３０８、メモリ３１０、プログラムコード３１２、およびトランシーバ３１４を含み得る。制御回路３０６は、ＣＰＵ３０８を介してメモリ３１０内のプログラムコード３１２を実行することにより、通信デバイス３００の動作を制御する。通信デバイス３００は、キーボード、キーパッド等の入力デバイス３０２を介してユーザにより入力された信号を受信することができ、モニタ、スピーカ等の出力デバイス３０４を介して画像および音声を出力することができる。トランシーバ３１４は、無線信号を受信および送信するのに使用され、受信信号を制御回路３０６に伝達すると共に、制御回路３０６により生成された信号を無線で出力する。無線通信システムにおける通信デバイス３００は、図１のＡＮ１００を実現するのにも利用することができる。
【００４４】
図４は、開示主題の一実施形態による図３に示すプログラムコード３１２の簡易ブロック図である。本実施形態では、プログラムコード３１２は、アプリケーションレイヤ４００、レイヤ３部４０２、およびレイヤ２部４０４を含み、レイヤ１部４０６に結合されている。レイヤ３部４０２は無線リソース制御を実行し得る。レイヤ２部４０４はリンク制御を実行し得る。レイヤ１部４０６は物理的接続を実行かつ／あるいは実施し得る。
【００４５】
無線技術（ＲＡＴ）および／または（５Ｇに関連する）Ｎｅｗ  ＲＡＴ（ＮＲ）に関連する１つ以上のフレーム構造は、拡張モバイルブロードバンド（ｅＭＢＢ）の場合の高ピークレートからマシンタイプ通信（ＭＴＣ）の場合の非常に低いデータレートまでの、ＭＴＣの遅延許容トラフィックに対する時間リソースおよび／または周波数リソースに関連する種々の要求（例えば、超低レイテンシ（例えば、〜０．５ミリ秒））に対応してもよい。低レイテンシ（例えば、短い伝送時間間隔（ＴＴＩ））および／または異なるＴＴＩの混合／適応は、様々なアプリケーションにとって重要である。多様なサービスと要件に加えて、ＮＲのすべての特徴がＮＲの初期フェーズ／リリースに含まれるわけではないため、前方互換性は初期のＮＲフレーム構造設計における重要な考慮事項である。
【００４６】
プロトコルレイテンシを短縮することは、異なる世代／リリース間の重要な改善であることがあり、これにより新しいアプリケーション要件（例えば、リアルタイムサービス）を満たすだけでなく、効率を上げることができる。レイテンシを短縮する効果的な方法は、ＴＴＩの長さを３Ｇにおける１０ミリ秒（ｍｓ）からＬＴＥにおける１ｍｓに短縮することである。
【００４７】
後方互換性は、ＮＲシステムでは要求されないことがある。ＴＴＩのシンボル数を減らすことがＴＴＩ長を変える唯一の方法ではないように、ヌメロロジは調整され得る。ＬＴＥヌメロロジに関連する例では、１４の直交周波数分割多重化（ＯＦＤＭ）シンボルが、１ｍｓおよび／または１５ＫＨｚのサブキャリア間隔に関連し得る。サブキャリア間隔が３０ＫＨｚに増加し、高速フーリエ変換（ＦＦＴ）サイズおよび／またはサイクリック・プレフィックス（ＣＰ）構造が変化しないとき、１ｍｓに２８のＯＦＤＭシンボルが存在し得る、かつ／あるいは、ＴＴＩ内のＯＦＤＭシンボル数を同じに保つ場合、ＴＴＩが０．５ｍｓになり得る。従って、異なるＴＴＩ長さ間の設計は、サブキャリア間隔で実行されるスケーラビリティと共に維持され得る。ＦＦＴサイズ、物理リソースブロック（ＰＲＢ）定義／数、ＣＰ設計、サポート可能なシステム帯域幅、サブキャリア間隔選択等のうちの１つ以上は、サブキャリア間隔選択と関連して設定されてもよい。ＮＲはより大きなシステム帯域幅および／またはより大きなコヒーレンス帯域幅に関連するため、より大きなサブキャリア間隔を含めることが有益であり得る。
【００４８】
単一のヌメロロジを用いて種々の多様な要求を満たすことは困難であることがあるため、複数のヌメロロジを採用してもよい。標準化努力、実装努力、および／または種々のヌメロロジに関連する多重化能力を考慮すると、整数の倍数関係のような種々のヌメロロジ間の関係を有することが有益であり得る。ＬＴＥの１５ｋＨｚのような種々のヌメロロジファミリおよび／または他のヌメロロジは、１ｍｓにおいて２のＮ乗のシンボルを許容することができる。
【００４９】
ＮＲでは、サブキャリア間隔の複数の値をサポートすることが必要となる可能性がある。サブキャリア間隔の値は、Ｎを乗じたサブキャリア間隔の値から導出され得る（例えば、Ｎは整数であってもよい）。第１のヌメロロジでは、サブキャリア間隔値は、１５ｋＨｚのサブキャリア間隔（例えば、ＬＴＥベースのヌメロロジ）を含み得る。第２のヌメロロジでは、サブキャリア間隔値は、ＣＰ長を含む均一なシンボル持続時間を有する１７．５ｋＨｚのサブキャリア間隔を含み得る。第３のヌメロロジでは、サブキャリア間隔値は、ＣＰ長を含む均一なシンボル持続時間を有する１７．０６ｋＨｚのサブキャリア間隔を含み得る。第４のヌメロロジでは、サブキャリア間隔値は２１．３３ｋＨｚのサブキャリア間隔を含み得る。いくつかの例では、他のヌメロロジも提供される。代替的かつ／あるいは追加的に、複数のＯＦＤＭヌメロロジは、単一の周波数範囲に適用されると想定することができる。
【００５０】
ＮＲフレーム構造、チャネルおよび／またはヌメロロジ設計を以下に説明する。いくつかの例では、時間領域における種々のフィールドのサイズは、時間単位（例えば、ＴＣ＝１／（Δｆｍａｘ・Ｎｆ）、ここで、Δｆｍａｘ＝４８０・１０３ＨｚかつＮｆ＝４０９６Ｈｚである）で表すことができる。代替的かつ／あるいは追加的に、定数κ＝Ｔｓ／Ｔｃ＝６４、ここで、ＴＳ＝１／（Δｆｒｅｆ・Ｎｆ，ｒｅｆ）の場合、Δｆｒｅｆ＝１５・１０３Ｈｚかつ／あるいはＮｆ，ｒｅｆ＝２０４８が真であり得る。
【００５１】
図５は、ＯＦＤＭヌメロロジに関連する表５００を示す。いくつかの例では、μはヌメロロジを示すことができ、かつ／あるいは、Δｆはサブキャリア間隔を示すことができる。例えば、第１のヌメロロジ（例えば、μ＝０）は、第１サブキャリア間隔（例えば、Δｆ＝１５ｋＨｚ）と関連してもよい。代替的かつ／あるいは追加的に、第２のヌメロロジ（例えば、μ＝０）は、第２のサブキャリア間隔（例えば、Δｆ＝３０ｋＨｚ）と関連してもよい０。代替的かつ／あるいは追加的に、第３のヌメロロジ（例えば、μ＝２）は、第３のサブキャリア間隔（例えば、Δｆ＝６０ｋＨｚ）と関連してもよい。例えば、帯域幅部分にいてのμおよび／またはＣＰは、下りリンク（ＤＬ）（伝送）の場合には、上位レイヤパラメータDL-BWP-muおよびDL-BWP-cpによって、かつ／あるいは、上りリンク（ＵＬ）（伝送）の場合には、上位レイヤパラメータUL-BWP-muおよびUL-BWP-cpによって与えられ得る。
【００５２】
ＤＬ伝送および／またはＵＬ伝送は、各々がＴｓｆ＝（ΔｆｍａｘＮｆ／１０００）・Ｔｃ＝１ｍｓ持続時間の１０のサブフレーム（および／または異なる数のサブフレーム）からなる、Ｔｆ＝（ΔｆｍａｘＮｆ／１００）・Ｔｃ＝１０ｍｓ持続時間を有するフレームに編成され得る。サブフレーム当たりの連続するＯＦＤＭシンボル数は、
【数１】
2019186927.tif 000003
であり得る。各フレームは、半フレーム０がサブフレーム０〜４からなり、半フレーム１がサブフレーム５〜９からなる、５つのサブフレームの等しいサイズの２つの半フレームに分割され得る。上りリンクに１つのフレームセットおよび／または下りリンクに１つのフレームセットが存在し得る。
【００５３】
図６は、ＵＬ−ＤＬタイミング関係の一例を示す。ＵＥからの伝送のための上りリンクフレーム番号ｉは、ＵＥでの対応するＤＬフレームの開始前の持続時間（例えば、図６に示されるようにＴＴＡ＝（ＮＴＡ＋ＮＴＡ，ｏｆｆｓｅｔ）Ｔｃ）を開始することができ、ここで、ＮＴＡ，ｏｆｆｓｅｔは（３ＧＰＰ  ＴＳ  ３８．１３３に関連する）周波数帯域に依存する。
【００５４】
図７Ａは、ノーマルＣＰの場合のスロット当たりのＯＦＤＭシンボル数、フレーム当たりのスロット数およびサブフレーム当たりのスロット数に関連する表７００を示す。図７Ｂは、エクステンデットＣＰの場合のスロット当たりのＯＦＤＭシンボル数、フレーム当たりのスロット数およびサブフレーム当たりのスロット数に関連するテーブル７５０を示す。サブキャリア間隔設定μの場合、スロットは、サブフレーム内で昇順において、
【数２】
2019186927.tif 000004
であり、フレーム内で昇順において
【数３】
2019186927.tif 000005
と番号付けされ得る。スロット内には、
【数４】
2019186927.tif 000006
個の連続するＯＦＤＭシンボルが存在してよく、ここで、
【数５】
2019186927.tif 000007
は、表７００および／または表７５０に関連するＣＰに依存する。サブフレーム内のスロット
【数６】
2019186927.tif 000008
の開始は、同じサブフレーム内のＯＦＤＭシンボル
【数７】
2019186927.tif 000009
の開始に時間的に整合される。
【００５５】
図８は、Ｎｏｒｍａｌ  ＣＰにおけるスロットフォーマットに関連する表８００を示す。いくつかの例では、スロット内のＦＤＭシンボルは、「下りシンク」（表８００において「Ｄ」と表す）、「フレキシブル」（表８００において「Ｘ」と表す）および／または「上りリンク」（表８００において「Ｕ」と表す）として分類することができる。表８００は、スロットフォーマット・インジケータ無線ネットワーク一時識別子（ＳＦＩ−ＲＮＴＩ）が、スロットフォーマット指示（スロットフォーマットのシグナリングが記載されている３ＧＰＰ  ＴＳ  ３８．２１３に関連する）に使用されるときに使用され得る。ＤＬフレーム内のスロットでは、ＵＥは、ＤＬ伝送が「下りシンク」および／または「フレキシブル」シンボルにおいて起こると想定してもよい。ＵＬフレーム内のスロットでは、ＵＥは、「上りリンク」および／または「フレキシブル」シンボルにおいてのみ送信してもよい。
【００５６】
アンテナポートｐ上の時間連続信号
【数８】
2019186927.tif 000010
、物理的チャネルのためのサブフレーム内のＯＦＤＭシンボルｌのためのサブキャリア間隔設定μおよび／または物理ランダムアクセスチャネル（ＰＲＡＣＨ）とは異なる信号は、
【数９】
2019186927.tif 000011
によって定義され得る。ここで、
【数１０】
2019186927.tif 000012
は、サブフレーム内の時間に関連する。代替的かつ／あるいは追加的に、以下の式の１つ以上が適用され得る。すなわち、
【数１１】
2019186927.tif 000013
、かつ／あるいは、
【数１２】
2019186927.tif 000014
【００５７】
ＯＦＤＭシンボルの開始位置
【数１３】
2019186927.tif 000015
は、
【数１４】
2019186927.tif 000016
のように定義され得る。
【００５８】
値
【数１５】
2019186927.tif 000017
は、上位レイヤパラメータｋ０から取得することができ、かつ／あるいは、サブキャリア間隔設定μに対する共通リソースブロックにおける最低番号のサブキャリアが、μ未満の（任意の）サブキャリア間隔設定に対する共通リソースブロックにおける最低番号のサブキャリアと一致するように設定することができる。
【００５９】
アンテナポートｐ上の時間連続信号
【数１６】
2019186927.tif 000018
、物理的チャネルのためのサブフレーム内のＯＦＤＭシンボルｌのためのサブキャリア間隔設定μおよび／または物理ランダムアクセスチャネル（ＰＲＡＣＨ）とは異なる信号は、
【数１７】
2019186927.tif 000019
で定義されてよく、ここで、
【数１８】
2019186927.tif 000020
【数１９】
2019186927.tif 000021
および／または
【数２０】
2019186927.tif 000022
は、真であり得る。
【００６０】
Δｆは、初期アクセス中の初期アクティブ上りリンク帯域幅部分のサブキャリア間隔であり得る。代替的かつ／あるいは追加的に、Δｆは、初期アクセスとは別のアクティブ上りリンク帯域幅部分のサブキャリア間隔であり得る。代替的かつ／あるいは追加的に、
【数２１】
2019186927.tif 000023
は、上位レイヤパラメータｋ０から取得することができ、かつ／あるいは、サブキャリア間隔設定μに対する共通リソースブロックにおける最低番号のサブキャリアが、μ未満の（任意の）サブキャリア間隔設定に対する共通リソースブロックにおける最低番号のサブキャリアと一致するように設定することができる。
【００６１】
代替的かつ／あるいは追加的に、
【数２２】
2019186927.tif 000024
は、共通リソースブロックのインデックス化に基づく初期アクティブ上りリンク帯域幅部分の最低番号のリソースブロックとすることができ、かつ／あるいは、初期アクセス中の上位レイヤパラメータinitial-UL-BWPによって導出することができる。代替的かつ／あるいは追加的に、
【数２３】
2019186927.tif 000025
は、共通リソースブロックのインデックス化に基づくアクティブ上りリンク帯域幅部分の最低番号のリソースブロックであり、かつ／あるいは、初期アクセスとは別のアクティブ上りリンク帯域幅部分の上位レイヤパラメータUL-BWPによって導出することができる。
【００６２】
代替的かつ／あるいは追加的に、
【数２４】
2019186927.tif 000026
は、初期アクティブ上りリンク帯域幅部分に関連する初期アクセス中に、上位レイヤパラメータprach-frequency-startによって与えられる初期アクティブ上りリンク帯域幅部分のＰＲＢ０に関して、周波数領域における最低ＰＲＡＣＨ伝送機会の周波数オフセットである。代替的かつ／あるいは追加的に、
【数２５】
2019186927.tif 000027
は、初期アクセスとは別のアクティブ上りリンク帯域幅部分に関連する初期アクセス中に、上位レイヤパラメータprach-frequency-startによって与えられるアクティブ上りリンク帯域幅部分のＰＲＢ０に関して、周波数領域における最低ＰＲＡＣＨ伝送機会の周波数オフセットである。
【００６３】
代替的かつ／あるいは追加的に、ｎＲＡは、１つの時刻インスタンスにおける所与のＰＲＡＣＨ伝送機会のための周波数領域におけるＰＲＡＣＨ伝送機会インデックスである。
代替的かつ／あるいは追加的に、
【数２６】
2019186927.tif 000028
は、占有されるリソースブロック数であり、ＰＵＳＣＨのためのＲＢ数で表されるパラメータ割り当てによって与えられる。
【００６４】
【数２７】
2019186927.tif 000029
は、ＰＲＡＣＨプリアンブルの開始位置に対応し得る。サブフレームは、ｔ＝０で開始（すると想定）してもよい。代替的かつ／あるいは追加的に、タイミングアドバンス値は、ＮＴＡ＝０と（想定）してもよい。代替的かつ／あるいは追加的に、ｌは、開始シンボルパラメータと関連してもよい。
【００６５】
いくつかの例では、
【数２８】
2019186927.tif 000030
は、真であり得る。
【数２９】
2019186927.tif 000031
の場合、ｎは、０と等しくてもよい。代替的かつ／あるいは追加的に、
【数３０】
2019186927.tif 000032
の場合、ｎは、インターバル
【数３１】
2019186927.tif 000033
が、時間インスタンス０および／またはサブフレームにおける時間インスタンス
【数３２】
2019186927.tif 000034
と重複する回数であってもよい。
【００６６】
図９は、例示的なＰＲＡＣＨプリアンブルの開始位置に関連するテーブル９００を示し、ここで、
【数３３】
2019186927.tif 000035
である。図１０は、例示的なＰＲＡＣＨプリアンブルの開始位置に関連する表１０００を示す。
【数３４】
2019186927.tif 000036
である。
【００６７】
ＲＡＴおよび／または（５Ｇに関連する）ＮＲは、広範囲のサービスを包含することができる。従って、トラフィックは種々の要件を有することがある。例えば、１つ以上のタイプのトラフィック（例えば、ｅＭＢＢおよび／または他の（従来の）モバイルネットワークトラフィック）は、大量のデータおよび／またはより厳格でないレイテンシ要件と関連し得る。代替的かつ／あるいは追加的に、１つ以上の他のタイプのトラフィック（例えば、高信頼低遅延通信（ＵＲＬＬＣ））は、より少量のデータおよび／またはより厳しいレイテンシおよび／または信頼性要件と関連し得る。異なるタイプのトラフィックに対する半静的に分割された時間リソースおよび／または周波数リソースは、データの到着および／またはデータのタイプの予測が困難であるため、基地局のリソース利用を禁止する可能性がある。従って、基地局は、利用可能なリソース上のデータトラフィックをスケジューリングすることを試みることがある。例えば、遅延に敏感なサービスに関連するデータ（例えば、ＵＲＬＬＣに関連するデータ）が基地局に到着した場合、基地局は、遅延許容サービスに関連するデータ（例えば、ｅＭＢＢに関連するデータ）にスケジューリングされた１つ以上のリソースを解放してもよい。遅延許容サービスに関連する（かつ／あるいはこれを受信する）ＵＥは、ＵＥにスケジューリングされた１つ以上のリソースが解放されたことを知り、１つ以上の適切なアクションを実行する（例えば、データデコードを正しく実行する）必要がある可能性がある。例えば、ＤＬトラフィックに使用されるプリエンプション指示が、ＵＥに送信され得る。例えば、（ｅＭＢＢについて）ＤＬデータを受信するＵＥは、ＤＬデータに対して１つ以上のスケジューリングされたリソースがプリエンプトされるかどうかを決定するために、プリエンプト指示を監視することができる。いくつかの例において、プリエンプション指示は、グループ共通物理下りリンク制御チャネル（ＰＤＣＣＨ）上で搬送され得る。
【００６８】
いくつかの例では、ＵＥに上位レイヤパラメータPreemp-DLおよびPreemp-DL=ONが提供されるならば、ＤＣＩフォーマット２＿１を搬送するＰＤＣＣＨを監視するための上位レイヤパラメータINT-RNTIによって提供される割り込み無線ネットワーク一時識別子（ＩＮＴ−ＲＮＴＩ）をＵＥに設定することができる。代替的かつ／あるいは追加的に、ＵＥは、上位レイヤパラメータINT-cell-to-INTによるサービングセルのセット、上位レイヤパラメータcell-to-INTによるＤＣＩフォーマット２＿１におけるフィールドへのサービングセルのセットにおける各サービングセルへのマッピング、上位レイヤパラメータINT-DCI-payload-lengthによるＤＣＩフォーマット２＿１に対する情報ペイロードサイズ、および／またはサービングセルのセット内の各サービングセルに対する上位レイヤパラメータINT-TF-unitによる時間周波数リソースに対する指示粒度で設定され得る。
【００６９】
代替的かつ／あるいは追加的に、ＵＥがサービングセルのセットからサービングセルのためのＤＣＩフォーマット２＿１を検出する場合、ＵＥは、ＤＣＩフォーマット２＿１によって示される、最後の監視期間のＰＲＢセットおよびのシンボルセットからＰＲＢおよびシンボル内にＵＥへの伝送が存在しないと想定することができる。ＤＣＩフォーマット２＿１による指示は、ＳＳ／ＰＢＣＨブロックの受信には適用可能ではないことがある。
【００７０】
ＰＲＢセットは、アクティブＤＬ帯域幅部分（ＢＷＰ）に等しくてもよく、かつ／あるいは、ＢＩＮＴのＰＲＢを含んでもよい。いくつかの例では、ＵＥがスロット内の制御リソースセットにおいて送信されたＰＤＣＣＨ内のＤＣＩフォーマット２＿１を検出する場合、ＤＣＩフォーマット２＿１におけるフィールドによって示されるシンボルセットは、スロット内の制御リソースセットの最初のシンボルより前の最後の
【数３５】
2019186927.tif 000037
のシンボルを含み、ここで、ＴＩＮＴは、上位レイヤパラメータMonitoring-periodity-PDCCH-slotの値であってもよく、
【数３６】
2019186927.tif 000038
は、スロット当たりのシンボル数であってもよく、μは、ＤＣＩフォーマット２＿１におけるそれぞれのフィールドにマッピングする、サービングセルに対するサブキャリア間隔設定（および／またはヌメロロジ）に対応してもよく、μＩＮＴは、ＵＥがＤＣＩフォーマット２＿１を搬送するＰＤＣＣＨを受信するＤＬ  ＢＷＰのサブキャリア間隔設定（および／またはヌメロロジ）に対応してもよく、かつ／あるいは、ｍ自然数であってもよい。ＵＥに上位レイヤパラメータUL-DL-configuration-commonおよび／またはUL-DL-configuration-common-Set2が設定される場合、UL-DL-configuration-commonまたはUL-DL-configuration-common-Set2によって上りリンクとして示されるシンボルは、スロット内の制御リソースセットの最初のシンボルより前の最後の
【数３７】
2019186927.tif 000039
シンボルから除外されてもよい。結果として得られるシンボルセットは、ＮＩＮＴとして表されるシンボル数を含む。
【００７１】
いくつかの例では、ＵＥには、整数ではない
【数３８】
2019186927.tif 000040
の値をもたらすμ、μＩＮＴおよびＴＩＮＴの値が提供されると期待されなくてもよい。
【００７２】
代替的かつ／あるいは追加的に、ＵＥには、上位レイヤパラメータINT-TF-unitにより、ＰＲＢセットおよび／またはシンボルセットについての指示粒度が提供されてもよい。いくつかの例では、INT-TF-unitの値が０である場合、ＤＣＩフォーマット２＿１におけるフィールドの１４ビットは、シンボルセットからの１４の連続シンボルのグループと１対１のマッピングを有し、ここで、最初の
【数３９】
2019186927.tif 000041
のシンボルグループの各々が
【数４０】
2019186927.tif 000042
のシンボルを含み、最後の
【数４１】
2019186927.tif 000043
のシンボルグループの各々が
【数４２】
2019186927.tif 000044
のシンボルを含み、０のビット値はシンボルグループにおいてＵＥへの伝送を示し、１のビット値が対応するシンボルグループにおいてＵＥへの伝送がないこと示す。
【００７３】
代替的および／または追加的に、INT-TF-unitの値が１である場合、ＤＣＩフォーマット２＿１におけるフィールドのビットの７つのペアは、７の連続シンボルのグループと１対１のマッピングを有し、ここで、最初の
【数４３】
2019186927.tif 000045
シンボルグループの各々が、
【数４４】
2019186927.tif 000046
シンボルを含み、最後の
【数４５】
2019186927.tif 000047
シンボルグループの各々が、
【数４６】
2019186927.tif 000048
シンボルを含み、シンボルグループのためのビットの１つのぺアにおける第１のビットは、ＢＩＮＴのＰＲＢセットからの最初の
【数４７】
2019186927.tif 000049
のＰＲＢサブセットに適用可能であり、シンボルグループのためのそのペアにおける第２のビットは、ＢＩＮＴのＰＲＢセットからの最後の
【数４８】
2019186927.tif 000050
のＰＲＢのサブセットに適用可能であり、０のビット値はシンボルグループおよびＰＲＢサブセットにおいてＵＥへの伝送を示し、１のビット値はシンボルグループおよびＰＲＢサブセットにおいてＵＥへ伝送がないことを示す。
【００７４】
ＵＥがセカンダリセルグループ（ＳＣＧ）で設定される場合、ＵＥは、マスタセルグループ（ＭＣＧ）および／またはＳＣＧに関連する１つ以上の手順を適用するかつ／あるいは実行してもよい。いくつかの例では、ＭＣＧに適用される手順に関連して、用語「セカンダリセル」、「複数のセカンダリセル」、「サービングセル」および／または「複数のサービングセル」は、それぞれ、ＭＣＧに関連するセカンダリセル、複数のセカンダリセル、サービングセルおよび／または複数のサービングセルを指してもよい。いくつかの例では、ＳＣＧに適用される手順に関連して、用語「セカンダリセル」、「複数のセカンダリセル」、「サービングセル」および／または「複数のサービングセル」は、それぞれ、ＳＣＧに関連するセカンダリセル、複数のセカンダリセル（プライマリセカンダリセル（ＰＳＣｅｌｌ）を含まない）、サービングセルおよび／または複数のサービングセルを指してもよい。代替的かつ／あるいは追加的に、用語「プライマリセル」は、ＳＣＧのＰＳＣｅｌｌを指してもよい。
【００７５】
いくつかの例において、ＵＥは、対応する検索空間に従って、各アクティブにされたサービングセル上のアクティブＤＬ  ＢＷＰ上の１つ以上の制御リソースセット内のＰＤＣＣＨ候補のセットを監視してもよく、ここで、監視とは、監視される下りリンク制御情報（ＤＣＩ）フォーマットに従って各ＰＤＣＣＨ候補をデコードすることを示唆する。ＵＥは、上位レイヤパラメータSSB-peritityServingCell（例えば、サービングセル内の同期信号（ＳＳ）／物理ブロードキャストチャネル（ＰＢＣＨ）ブロックの受信のための半フレームの周期性）によって設定されてもよい。
【００７６】
いくつかの例において、ＵＥは、ＰＤＣＣＨ候補の監視に関連する１つ以上の操作を実行してもよい。いくつかの例において、ＵＥがSSB-transmitted-SIB1を受信した、かつ／あるいは、サービスセルに対してSSB-transmitted-SIB1を受信していない場合、かつ／あるいは、サービスセル上でＳＩ−ＲＮＴＩによってスクランブルされない巡回冗長検査（ＣＲＣ）を有するＤＣＩフォーマットに対するＰＤＣＣＨ候補を監視するための少なくとも１つのリソース要素（ＲＥ）が、SSB-transmitted-SIB1によって提供されるＳＳ／ＰＢＣＨブロックインデックスに対応する少なくとも１つのＲＥと重複する場合、ＵＥは、ＰＤＣＣＨ候補を監視する必要がない。代替的かつ／あるいは追加的に、ＵＥがサービングセルに対してSSB-transmittedを受信した場合、および／またはサービングセル上でＳＩ−ＲＮＴＩによってスクランブルされないＣＲＣを有するＤＣＩフォーマットに対するＰＤＣＣＨ候補を監視するための少なくとも１つのＲＥが、SSB-transmittedによって提供されるＳＳ／ＰＢＣＨブロックインデックスに対応する１つ以上の（それぞの）ＲＥと重複する場合、ＵＥは、ＰＤＣＣＨ候補を監視する必要がない。代替的かつ／あるいは追加的に、ＵＥがサービングセルに対してSSB-transmitted-SIB1およびSSB-tramsmittedの両方を受信していない場合、およびＵＥがサービングセル上でＴｙｐｅ０−ＰＤＣＣＨ共通検索空間に対するＰＤＣＣＨ候補を監視する場合、ＵＥは、サービングセル上でＰＤＣＣＨ候補を監視するために使用されるＲＥにおいてＳＳ／ＰＢＣＨブロックが送信されないと想定してもよい。
【００７７】
いくつかの例において、UE-NR-Capabilityに含まれるＵＥのためのキャリアアグリゲーション能力が４より大きい場合、ＵＥは、ＵＥが４つより多いセルにわたるキャリアアグリゲーション動作のために設定されるとき、ＵＥがスロット当たりに監視することができる最大ＰＤＣＣＨ候補数についてのUE-NR-Capabilityにおける指示を含む。ＵＥが４つより多いセルにわたるキャリアアグリゲーション動作のために設定されるとき、ＵＥに、最大数よりも大きい、スロット毎に監視するＰＤＣＣＨ候補数が設定されるとは期待されない。
【００７８】
ＰＤＣＣＨ検索空間は、ＵＥが監視するためのＰＤＣＣＨ候補のセットに対応することができる。検索空間は、共通の検索空間および／またはＵＥ固有の検索空間（例えば、ＵＥに固有）であってもよい。ＵＥは、以下の検索空間のうちの１つ以上でＰＤＣＣＨ候補を監視することができる。すなわち、プライマリセル上でシステム情報（ＳＩ）無線ネットワーク一時識別子（ＲＮＴＩ）によってスクランブルされるＣＲＣを有するＤＣＩフォーマットのためのＴｙｐｅ０−ＰＤＣＣＨ共通検索空間、プライマリセル上でＳＩ−ＲＮＴＩによってスクランブルされるＣＲＣを有するＤＣＩフォーマットのためのＴｙｐｅ０Ａ−ＰＤＣＣＨ共通検索空間、プライマリセル上でランダムアクセスＲＮＴＩ（ＲＡ−ＲＮＴＩ）、一時セルＲＮＴＩ（ＴＣ−ＲＮＴＩ）および／またはセルＲＮＴＩ（Ｃ−ＲＮＴＩ）によってスクランブルされるＣＲＣを有するＤＣＩフォーマットのためのＴｙｐｅ１−ＰＤＣＣＨ共通検索空間、プライマリセル上でページングＲＮＴＩ（Ｐ−ＲＮＴＩ）によってスクランブルされるＣＲＣを有するＤＣＩフォーマットのためのＴｙｐｅ２−ＰＤＣＣＨ共通検索空間、ＩＮＴ−ＲＮＴＩ、スロットフォーマットインジケータ（ＳＦＩ）ＲＮＴＩ（ＳＦＩ−ＲＮＴＩ）、送信電力制御（ＴＰＣ）ＰＲＡＣＨ  ＲＮＴＩ（ＴＰＣ−ＰＲＡＣＨ−ＲＮＴＩ）、ＴＰＣ物理上りリンク制御チャネル（ＰＵＣＣＨ）ＲＮＴＩ（ＴＰＣ−ＰＵＣＣＨ−ＲＮＴＩ）、ＴＰＣサウンディング参照信号（ＳＲＳ）ＲＮＴＩ（ＴＰＣ−ＳＲＳ−ＲＮＴＩ）、Ｃ−ＲＮＴＩ、１つ以上の設定されるスケジューリング（ＣＳ）ＲＮＴＩ（ＣＳ−ＲＮＴＩ）、および／またはセミパーシステント（ＳＰ）チャネル状態情報（ＣＳＩ）ＲＮＴＩ（ＳＰ−ＣＳＩ−ＲＮＴＩ）によってスクランブルされるＣＲＣを有するＤＣＩフォーマットのためのＴｙｐｅ３−ＰＤＣＣＨ共通検索空間、および／またはＣ−ＲＮＴＩ、１つ以上のＣＳ−ＲＮＴＩおよび／またはＳＰ−ＣＳＩ−ＲＮＴＩによってスクランブルされるＣＲＣを有するＤＣＩフォーマットのためのＵＥ固有の検索空間である。
【００７９】
図１１は、制御チャネル要素（ＣＣＥ）アグリゲーションレベルおよび／またはＣＣＥ凝集レベル当たりのＰＤＣＣＨ候補数に関連する表１１００を示す。ＵＥには、ＰＤＣＣＨ受信のための上位レイヤパラメータRMSI-PDCCH-Configおよび／または上位レイヤパラメータRMSI-scsによるサブキャリア間隔によって、Ｔｙｐｅ０−ＰＤＣＣＨ共通検索空間のための制御リソースセットのための設定が提供され得る。ＵＥは、Ｔｙｐｅ０−ＰＤＣＣＨ共通検索空間の制御リソースセットおよび／または監視機会を決定してもよい。Ｔｙｐｅ０−ＰＤＣＣＨ共通検索空間は、表１１００に示すＣＣＥアグリゲーションレベルおよび／またはＣＣＥアグリゲーションレベル当たりのＰＤＣＣＨ候補数によって定義される。Ｔｙｐｅ０−ＰＤＣＣＨ共通検索空間のために設定された制御リソースセットは、制御リソースセットインデックス０を有する。Ｔｙｐｅ０−ＰＤＣＣＨ共通検索空間は検索空間インデックス０を有する。
【００８０】
Ｔｙｐｅ０Ａ−ＰＤＣＣＨ共通検索空間および／またはＴｙｐｅ２−ＰＤＣＣＨ共通検索空間に対する制御リソースセットは、Ｔｙｐｅ０−ＰＤＣＣＨ共通検索空間に対する制御リソースセットと同じとしてもよい。ＵＥには、上位レイヤパラメータosi-SearchSpaceによってＴｙｐｅ０Ａ−ＰＤＣＣＨ共通検索空間のための設定が提供され、かつ／あるいは、ＣＣＥアグリゲーションレベルおよび／またはＣＣＥアグリゲーションレベルレベル当たりのＰＤＣＣＨ候補数は、表１１００に提示する。ＵＥには、上位レイヤパラメータpaging-SearchSpaceによって、Ｔｙｐｅ２−ＰＤＣＣＨ共通検索空間のための設定が提供されてもよい。ＣＣＥアグリゲーションレベルおよびＣＣＥアグリゲーションレベル当たりのＰＤＣＣＨ候補数は、表１１００に提示する。
【００８１】
Ｔｙｐｅ１−ＰＤＣＣＨ共通検索空間の場合、ＵＥには、上位レイヤパラメータrach-correset-configurationによって制御リソースセットのための設定、および／または上位レイヤパラメータra-SearchSpaceによって検索空間のための設定が提供されてもよい。上位レイヤパラメータrach-coreset-configurationがＵＥに提供されない場合、Ｔｙｐｅ１−ＰＤＣＣＨ共通検索空間のための制御リソースセットは、Ｔｙｐｅ０−ＰＤＣＣＨ共通検索空間のためのものと同じである。
【００８２】
ＵＥにＴｙｐｅ０Ａ−ＰＤＣＣＨ共通検索空間のための上位レイヤパラメータosi-SearchSpaceが提供されない場合、Ｔｙｐｅ０Ａ−ＰＤＣＣＨ共通検索空間に対する監視機会とＳＳ／ＰＢＣＨブロックインデックスの関連付けは、Ｔｙｐｅ０−ＰＤＣＣＨ共通検索空間に関連する監視機会の関連付けと同じである。
【００８３】
ＵＥにＴｙｐｅ２−ＰＤＣＣＨ共通検索空間のための上位レイヤパラメータpaging-SearchSpaceが提供されない場合、Ｔｙｐｅ２−ＰＤＣＣＨ共通検索空間に対する監視機会とＳＳ／ＰＢＣＨブロックインデックスとの関連付けは、Ｔｙｐｅ０−ＰＤＣＣＨ共通検索空間に関連する監視機会の関連付けと同じである。
【００８４】
ＵＥにＴｙｐｅ１−ＰＤＣＣＨ共通検索空間ための上位レイヤパラメータra-SearchSpaceが提供されない場合、Ｔｙｐｅ１−ＰＤＣＣＨ共通検索空間に対する監視機会とＳＳ／ＰＢＣＨブロックインデックスの関連付けは、Ｔｙｐｅ０−ＰＤＣＣＨ共通検索空間に関連する監視機会の関連付けと同じである。
【００８５】
ＵＥは、Ｔｙｐｅ０−ＰＤＣＣＨ共通検索空間、Ｔｙｐｅ０Ａ−ＰＤＣＣＨ共通検索空間、および／またはＴｙｐｅ２−ＰＤＣＣＨ共通検索空間におけるＰＤＣＣＨ受信に関連する、かつ／あるいは、対応する物理下りリンク共有チャネル（ＰＤＳＣＨ）のための復調参照信号（ＤＭ−ＲＳ）アンテナポートおよび／またはＳＳ／ＰＢＣＨ受信に関連するＤＭ−ＲＳアンテナポートは、遅延拡散、ドップラー拡散、ドップラーシフト、平均遅延、および空間Ｒｘパラメータに関して準同一位置であると想定することができる。代替的かつ／あるいは追加的に、ＤＭ−ＲＳスクランブルシーケンスの初期化のための値はセルＩＤである。
【００８６】
Ｔｙｐｅ０Ａ−ＰＤＣＣＨ共通検索空間、Ｔｙｐｅ１−ＰＤＣＣＨ共通検索空間、および／またはＴｙｐｅ２−ＰＤＣＣＨ共通検索空間を有するＰＤＣＣＨ受信のためのサブキャリア間隔および／またはＣＰ長は、Ｔｙｐｅ０−ＰＤＣＣＨ共通検索空間を有するＰＤＣＣＨ受信ためのものと同じであってもよい。
【００８７】
ＵＥは、Ｔｙｐｅ１−ＰＤＣＣＨ共通検索空間におけるＰＤＣＣＨ受信および／またはＰＤＳＣＨ受信に関連するＤＭ−ＲＳアンテナポートが、遅延拡散、ドップラー拡散、ドップラーシフト、平均遅延および／または空間Ｒｘパラメータに関して、初期アクセス手順において識別されるＳＳ／ＰＢＣＨブロックおよび／または受信されたＣＳＩ−ＲＳと準同一位置であると想定することができる。
【００８８】
Ｔｙｐｅ０Ａ−ＰＤＣＣＨ共通検索空間、Ｔｙｐｅ１−ＰＤＣＣＨ共通検索空間および／またはＴｙｐｅ２−ＰＤＣＣＨ共通検索空間のためのＤＭ−ＲＳスクランブルシーケンス初期化のための値が、SystemInformationBlockType1内の上位レイヤパラメータPDCCH-DMRS-Scrambling-IDによって提供されない場合、値はセルＩＤである。
【００８９】
ＵＥが下りリンク帯域幅部分（ＢＷＰ）動作のために設定される場合、共通検索空間に対する上記の１つ以上の設定が、初期アクティブＤＬ  ＢＷＰに適用される。代替的かつ／あるいは追加的に、ＵＥには、初期アクティブＤＬ  ＢＷＰ以外の、プライマリセル上の設定された各ＤＬ  ＢＷＰに対して、Ｔｙｐｅ０−ＰＤＣＣＨ共通検索空間、Ｔｙｐｅ０Ａ−ＰＤＣＣＨ共通検索空間、Ｔｙｐｅ１−ＰＤＣＣＨ共通検索空間および／またはＴｙｐｅ２−ＰＤＣＣＨ共通検索空間のための制御リソースセットがさらに設定されることができる。
【００９０】
いくつかの例では、サービングセルにおいてＵＥに設定された各ＤＬ  ＢＷＰに対して、ＵＥには、Ｐ個の制御リソースセットが上位レイヤシグナリングによって提供されてもよく、ここで、Ｐ≦３である。制御リソースセットｐ（０≦ｐ＜Ｐ）に対して、上位レイヤシグナリングは、以下のうちの１つ以上を提供してもよい。上位レイヤパラメータCORESET-IDにより制御リソースセットインデックス、上位レイヤパラメータPDCCH-DMRS-Scrambling-IDにより提供されるＤＭ−ＲＳスクランブルシーケンス初期化値、上位レイヤパラメータCORESET-time-durationにより提供される連続シンボル数、上位レイヤパラメータCORESET-freq-domによって提供されるリソースブロックセット、上位レイヤパラメータCORESET-CCE-to-REG-mapping-typeによって提供されるＣＣＥとＲＥＧのマッピング、上位レイヤパラメータCORESET-REG-bundle-sizeにより提供される、インターリーブされるＣＣＥとＲＥＧのマッピングの場合の、リソースエレメントグループ（ＲＥＧ）バンドルサイズ、上位レイヤパラメータCORESET-shift-indexにより提供されるＲＥＧバンドルインタリーバのためのサイクリックシフト、ＰＤＣＣＨ受信のためのＤＭ−ＲＳアンテナの準同一位置情報を示す上位レイヤパラメータTCI-StatesPDCCHによって提供されるアンテナポートの準同一位置のセットからの、アンテナポート準同一位置、および／または上位レイヤパラメータTCI-PresentInDCIによって制御リソースセットｐにおけるＰＤＣＣＨによって送信されるＤＣＩフォーマット１＿０またはＤＣＩフォーマット１＿１の送信設定指示（ＴＣＩ）フィールドの有無の表示である。
【００９１】
いくつかの例では、サービングセルのＤＬ  ＢＷＰにおける各制御リソースセットに対して、各上位レイヤパラメータCORESET-freq-domはビットマップを提供する。ビットマップのビットは、開始位置
【数４９】
2019186927.tif 000051
で
【数５０】
2019186927.tif 000052
個のＰＲＢのＤＬ  ＢＷＰ帯域幅におけるＰＲＢインデックスの昇順で、６つのＰＲＢの非重複グループとの１対１のマッピングを有し、ここで、６つのＰＲＢの最初のグループの最初のＰＲＢがインデックス
【数５１】
2019186927.tif 000053
を有する。ビットマップにおける対応するビット値が１である場合、６つのＰＲＢのグループが制御リソースセットに割り当てられる。代替的かつ／あるいは追加的に、ビットマップにおける対応するビット値が０である場合、６つのＰＲＢのグループは、
制御リソースセットに割り当てられない。
【００９２】
代替的かつ／あるいは追加的に、ＵＥが、複数のＴＣＩ状態を含む上位レイヤパラメータTCI-StatesPDCCHによって複数のＴＣＩ状態の初期設定を受信したが、複数のＴＣＩ状態の１つ以上についてのＭＡＣ  ＣＥアクティベーションを受信しなかった場合、ＵＥは、ＵＥ固有検索空間におけるＰＤＣＣＨ受信に関連するＤＭ−ＲＳアンテナポートが、遅延拡散、ドップラー拡散、ドップラーシフト、平均遅延および／または空間Ｒｘパラメータに関して、初期アクセス手順中に識別されたＳＳ／ＰＢＣＨブロックと準同一位置であると想定することができる。
【００９３】
代替的かつ／あるいは追加的に、ＵＥが、単一のＴＣＩ状態を含む上位レイヤパラメータTCI-StatesPDCCHを受信した場合、ＵＥは、ＵＥ固有の検索空間におけるＰＤＣＣＨ受信に関連するＤＭ−ＲＳアンテナポートが、ＴＣＩ状態によって設定される１つ以上のＤＬ  ＲＳと準同一位置にある想定することができる。
【００９４】
いくつかの例では、ＵＥが検索空間においてＰＤＣＣＨを監視するように設定されるサービングセルの各ＤＬ  ＢＷＰに対して、ＵＥには、検索空間集合ｓ（０≦ｓ＜Ｓであり、Ｓ≦１０）と上位レイヤパラメータsearch-space-configによる制御リソースセットインデックスｐの関連付けが設定される。代替的かつ追加的に、制御リソースセットｐにおける検索空間Ｓに対して、ＵＥには、上位レイヤパラメータsearch-space-config（および／または１つ以上の異なる上位レイヤパラメータ）によって、以下のうちの１つ以上が設定されてもよい。すなわち、上位レイヤパラメータCommon-search-space-flagにより検索空間が共通の検索空間セットまたはＵＥ固有の検索空間であることの指示、検索空間セットＳが共通の検索空間のためのものである場合、複数のＲＮＴＩからのＲＮＴＩによってスクランブルされたＣＲＣを伴うＤＣＩフォーマット０＿０およびＤＣＩフォーマット１＿０、ＤＣＩフォーマット２＿０、ＤＣＩフォーマット２＿１、ＤＣＩフォーマット２＿２および／またはＤＣＩフォーマット２＿３のうちの１つ以上に対するＰＤＣＣＨを監視するための上位レイヤパラメータRNTI-monitoringによる指示、検索空間セットＳがＵＥ固有検索空間である場合、ＤＣＩフォーマット０＿０およびＤＣＩフォーマット１＿０についておよび／またはＤＣＩフォーマット０＿１およびＤＣＩフォーマット１＿１についてＰＤＣＣＨを監視するための上位レイヤパラメータUSS-DCI-formatによる指示、ＣＣＥアグリゲーションレベル１、ＣＣＥアグリゲーションレベル２、アグリゲーションレベル４、アグリゲーションレベル８および／またはアグリゲーションレベル１６（それぞれについて）の上位レイヤパラメータaggregationLevel1、aggregationLevel12、aggregationLevel4、aggregationLevel8、aggregationLevel16によるＣＣＥアグリゲーションレベルＬ当たりのＰＤＣＣＨ候補数
【数５２】
2019186927.tif 000054
、上位レイヤパラメータmonitoringSlotPeriodicityAndOffsetによるｋｐ，ｓスロットのＰＤＣＣＨ監視周期、上位レイヤパラメータmonitoringSlotPeriodicityAndOffsetによるｏｐ，ｓスロットのＰＤＣＣＨ監視オフセット（０≦ｏｐ，ｓ≦ｋｐ，ｓである）、および／または上位レイヤパラメータmonitoringSymbolsWithinSlotによる、ＰＤＣＣＨ監視のためのスロット内の制御リソースセットの１つ以上の第１のシンボルを示す、スロット内のＰＤＣＣＨ監視パターンである。
【００９５】
いくつかの例では、上位レイヤパラメータmonitoringSymbolsSymbolsWithInSlotが、スロット内の１つのＰＤＣＣＨ監視機会のみをＵＥに示す場合、ＵＥは、検索空間Ｓに関連する制御リソースセットｐが、第３のスロットシンボルの後に少なくとも１つのシンボルを含む場合、１５ｋＨｚ以外のＰＤＣＣＨサブキャリア間隔（および／または異なる周波数）について対応した検索空間セットで設定されることが期待されていなくてもよい。
【００９６】
代替的かつ／あるいは追加的に、１５ＫＨｚ（および／または異なる周波数）のサブキャリア間隔に対して、検索空間セットＳに対する上位レイヤパラメータmonitingSymbolsWithinSlotが、対応する制御リソースセットｐに対するスロットにおいて単に１つのＰＤＣＣＨ監視機会をＵＥに示し、制御リソースセットｐが、第３のスロットシンボルの後に少なくとも１つのシンボルを含む場合、ＵＥは、ＵＥに設定されたすべての制御リソースセットが、スロットにおいて多くても３つの（同じ）連続シンボル内に位置することを期待してもよい。
【００９７】
いくつかの例では、ＵＥは、ＰＤＣＣＨ監視周期、ＰＤＣＣＨ監視オフセット、および／またはスロット内のＰＤＣＣＨ監視パターンから、ＰＤＣＣＨ監視機会を決定してもよい。制御リソースセットｐにおける検索空間セットＳに対して、ＵＥは、
【数５３】
2019186927.tif 000055
が真である場合、数ｎｆに関連するフレームにおける数
【数５４】
2019186927.tif 000056
に関連するスロットに存在する１つ以上のＰＤＣＣＨ機会を決定してもよい。
【００９８】
ＣＣＥアグリゲーションレベル
【数５５】
2019186927.tif 000057
でのＰＤＣＣＨ  ＵＥ固有検索空間
【数５６】
2019186927.tif 000058
は、ＣＣＥアグリゲーションレベルＬに対するＰＤＣＣＨ候補のセットによって定義されてもよい。
【００９９】
いくつかの例では、ＵＥがサービングセルに対して上位レイヤパラメータCrossCarrierSchedulingConfigで設定される場合、キャリアインジケータフィールド値はCrossCarrierSchedulingConfigによって示される値に対応してもよい。
【０１００】
いくつかの例では、ＵＥがＵＥ固有の検索空間においてＰＤＣＣＨ候補を監視するサービングセルのＤＬ  ＢＷＰに対して、ＵＥにキャリアインジケータフィールドが設定されない場合、ＵＥは、キャリアインジケータフィールドなしでＰＤＣＣＨ候補を監視してもよい。代替的かつ／あるいは追加的に、ＵＥがＵＥ固有の検索空間においてＰＤＣＣＨ候補を監視するサービスセルに対して、ＵＥにキャリアインジケータフィールドが設定される場合、ＵＥは、キャリアインジケータフィールドでＰＤＣＣＨ候補を監視してもよい。
【０１０１】
いくつかの例において、ＵＥが、別のサービングセル内のそのセカンダリセルに対応するキャリアインジケータフィールドでＰＤＣＣＨ候補を監視するように設定される場合、ＵＥは、セカンダリセルのＤＬ  ＢＷＰ上でＰＤＣＣＨ候補を監視することを期待されなくてもよい。ＵＥがＰＤＣＣＨ候補を監視するサービングセルのＤＬ  ＢＷＰの場合、ＵＥは、少なくとも同じサービングセルについてＰＤＣＣＨ候補を監視してもよい。
【０１０２】
図１２は、サブキャリア間隔値（例えば、２μ・１５ｋＨｚ）の関数として、スロット当たりおよび／またはサービングセル当たりの、最大ＰＤＣＣＨ候補数
【数５７】
2019186927.tif 000059
に関連する表１２００を示し、
【数５８】
2019186927.tif 000060
である。いくつかの例において、ＰＤＣＣＨ候補の最大数は、ＵＥが監視することが期待される検索空間において、異なるサイズを有するＣＣＥアグリゲーションレベルおよび／またはＤＣＩフォーマットと関連付けられてもよい。
【０１０３】
図１３は、上位レイヤパラメータMonitoring-symbols-PDCCH-within-slotがスロット内で単に１つのＰＤＣＣＨ監視機会を示す場合、サブキャリア間隔値（例えば、２μ・１５ｋＨｚ）の関数として、スロット当たりおよび／またはサービングセル当たりの、重複しない最大ＣＣＥ数
【数５９】
2019186927.tif 000061
と関連するテーブル１３００を示し、
【数６０】
2019186927.tif 000062
である。代替的かつ／あるいは追加的に、ＣＣＥが異なる制御リソースセットインデックスに関連する場合、および／またはＣＣＥがそれぞれのＰＤＣＣＨ候補の受信のための異なる第１のシンボルに関連する場合、ＣＣＥは重複しなくてもよい。
【０１０４】
いくつかの例において、Ｓｃｓｓは、制御リソースセットｐｃｓｓの対応するセットＰｃｓｓにおける共通の検索空間に対して検索空間セットｓｃｓｓのセットに関連してもよく、かつ／あるいは、Ｓｕｓｓは、制御リソースセットｐｕｓｓの対応するセットＰｕｓｓにおけるＵＥ固有検索空間に対して検索空間セットｓｃｓｓのセットに関連してもよく、ＵＥは、スロット内でＰＤＣＣＨ候補を監視する。いくつかの例では、
【数６１】
2019186927.tif 000063
が真ならば、ＵＥは、共通の検索空間について
【数６２】
2019186927.tif 000064
のＰＤＣＣＨ候補を監視してもよく、かつ／あるいは、ＵＥは、スロット内のＵＥ固有検索空間について、
【数６３】
2019186927.tif 000065
のＰＤＣＣＨ候補を監視してもよい。
【０１０５】
代替的かつ／あるいは追加的に、制御リソースセットｐに関連する検索空間セットｓについて、キャリアインジケータフィールド値ｎＣＩに対応するサービングセルに対するスロット
【数６４】
2019186927.tif 000066
内の検索空間セットのＰＤＣＣＨ候補
【数６５】
2019186927.tif 000067
に対応するアグリゲーションレベルＬに対するＣＣＥインデックスが、
【数６６】
2019186927.tif 000068
によって与えられ、ある（かつ／あるいは任意の）共通の検索空間について、
【数６７】
2019186927.tif 000069
は真であり、ＵＥ固有の検索空間について
【数６８】
2019186927.tif 000070
、および／またはＤ＝６５５３７は真であり、ｉ＝０，．．．，Ｌ−１であり、ＮＣＣＥ，ｐは、制御リソースセットｐにおいて、０からＮＣＣＥ，ｐ−１に番号付けされるＣＣＥ数であり、ｎＣＩは、ＵＥが、ＰＤＣＣＨが監視されるサービングセルに対して、上位レイヤパラメータCrossCarrierSchedulingConfigによりキャリアインジケータフィールドで設定される場合のキャリアインジケータフィールド値であり、ＵＥが、ＰＤＣＣＨが監視されるサービングセルに対して、上位レイヤパラメータのCrossCarrierSchedulingConfigによりキャリアインジケータフィールドで設定されない場合、ｎＣＩ＝０が真であってよく、
【数６９】
2019186927.tif 000071
は、真であってもよく、
【数７０】
2019186927.tif 000072
は、ＵＥが、ｎＣＩおよび／または検索空間セットｓに対応するサービングセルに対するアグリゲーションレベルＬについて監視するように設定されるＰＤＣＣＨ候補数であり、かつ／あるいは、ある（かつ／あるいは任意の）共通の検索空間について、
【数７１】
2019186927.tif 000073
は、真であってもよく、かつ／あるいは、ＵＥ固有検索空間については、
【数７２】
2019186927.tif 000074
は、制御リソースセットｐにおける検索空間セットｓのＣＣＥアグリゲーションレベルＬに対して設定されたｎＣＩ値にわたる
【数７３】
2019186927.tif 000075
の最大値である。
【０１０６】
いくつかの例では、制御リソースセットｐにおけるアグリゲーションレベルＬを有するインデックス
【数７４】
2019186927.tif 000076
を有するＰＤＣＣＨ候補のＣＣＥインデックスに対するある（かつ／あるいは任意の）ＣＣＥインデックスが制御リソースセットｐにおけるアグリゲーションレベルＬを有するインデックス
【数７５】
2019186927.tif 000077
を有するＰＤＣＣＨ候補に対するある（かつ／あるいは任意の）ＣＣＥインデックスと重複し、
【数７６】
2019186927.tif 000078
の場合、ＵＥは、インデックス
【数７７】
2019186927.tif 000079
を有するＰＤＣＣＨ候補を監視することが期待されなくてもよい。
【０１０７】
代替的かつ／あるいは追加的に、ＵＥは、共通の検索空間においてＤＣＩフォーマット０＿１および／またはＤＣＩフォーマット１＿１を監視するように設定されることは期待されなくてもよい。
【０１０８】
いくつかの例では、キャリアインジケータフィールドを有するＤＣＩフォーマットサイズおよび／またはＣ−ＲＮＴＩによってスクランブルされるＣＲＣを有する、サービスセルにおけるＰＤＣＣＨ候補を監視するように設定されたＵＥであって、ＰＤＣＣＨ候補が、ＤＣＩフォーマットサイズに対してキャリアインジケータフィールドの１つ以上の可能な値を有する、ＵＥは、ＤＣＩフォーマットサイズを有するＰＤＣＣＨ候補が、ＵＥがUE-NR-Capabilityにおいて、対応する能力についての指示を含む場合、ＤＣＩフォーマットサイズに対するキャリアインジケータフィールドの１つ以上の可能な値のある（かつ／あるいは任意の）値に対応する、ある（かつ／あるいは任意の）ＰＤＣＣＨ  ＵＥにおける特定の検索空間において、サービスセル内で送信されてもよいと想定してもよい。
【０１０９】
代替的かつ／あるいは追加的に、ＤＣＩフォーマット０＿１および／またはＤＣＩフォーマット１＿１において帯域幅部分インジケータで設定されたＵＥは、アクティブＤＬ  ＢＷＰおよび／またはアクティブＵＬ  ＢＷＰ変更の場合に、それぞれ、新しいアクティブＤＬ  ＢＷＰおよび／または新しいＵＬ  ＢＷＰに適用可能なＤＣＩ情報を決定してもよい。
【０１１０】
ペア化されていないスペクトル動作に対して、ＵＥがサービングセルｃ２上のＰＵＳＣＨ／ＰＵＣＣＨ伝送のために設定されていない場合、ＵＥは、ＰＤＣＣＨがサービングセルｃ２上のＳＲＳ送信（上りリンクＲＦ復帰時間および／または下りリンクＲＦ復帰時間による（および／または何らかの）中断を含む）と時間的に重複する場合、および／またはＵＥがサービングセルおよび／またはサービングセルｃ１および／またはサービングセルｃ２上で同時に受信および／または送信することができない場合、ＵＥは、サービングセルｃ１上のＰＤＣＣＨを監視することを期待されなくてもよい。
【０１１１】
いくつかの例において、ＤＣＩフォーマット２＿１は、ＵＥがＵＥに対して送信が意図されていないと仮定してもよい、１つ以上のＰＲＢおよび／または１つ以上のＯＦＤＭシンボルを通知するために使用されてもよい。以下の情報は、ＩＮＴ−ＲＮＴＩによってスクランブルされるＣＲＣを伴うＤＣＩフォーマット２＿１によって送信されてもよい。すなわち、ＤＣＩフォーマットのための識別子、および／または１つ以上のプリエンプション指示（例えば、プリエンプション指示１、プリエンプション指示２、．．．、プリエンプション指示Ｎ）である。ＤＣＩフォーマット２＿１のサイズは、上位レイヤで１２６ビットまで設定可能としてもよい。各プリエンプション指示は、１４ビットとしてもよい。
【０１１２】
図１４は、例示的なＤｏｗｎｌｉｎｋＰｒｅｅｍｐｔｉｏｎ情報要素１４００を示す。例示的なＤｏｗｎｌｉｎｋＰｒｅｅｍｐｔｉｏｎ情報要素１４００は、ＩＮＴ−ＲＮＴＩ（例えば、割り込み（ｉｎｔｅｒｒｕｐｔｉｏｎ））のためのＰＤＣＣＨを監視するようにＵＥを設定するために使用されてもよい。
【０１１３】
グループ共通のＰＤＣＣＨは、プリエンプション指示を示してもよい。例えば、ＵＥは、グループ共通ＰＤＣＣＨに基づいてプリエンプション指示を識別してもよい（例えば、グループ共通ＰＤＣＣＨは、ＵＥに対するプリエンプション指示を示してもよい）。代替的かつ／あるいは追加的に、プリエンプション指示に関連するクロスキャリアスケジューリングが設定されてもよい。例えば、第１のセル上のグループ共通ＰＤＣＣＨは、第２のセル上のプリエンプション指示を示してもよい。
【０１１４】
代替的かつ／あるいは追加的に、グループ共通ＰＤＣＣＨの監視周期は、基地局によって設定されてもよい。例えば、監視周期は、第１のセルに関連する第１のスロット長（例えば、スロット数）と関連してもよい。例えば、監視周期に関連する第１のスロット長は、１スロット長、２スロット長、および／または４スロット長（および／または異なる数のスロット長）であってもよく、第１のセルに関連するスロットは、第１のスロット長に関連する。しかし、第２のセルに関連する第２のスロット長は、第１のセルの第１のスロット長とは異なっていてもよい（例えば、第２のセルに関連する第２のスロット長は、０．５ｍｓをカバーするスロットに関連してもよく、かつ／あるいは、第１のセルの第１のスロット長は、１ｍｓをカバーするスロットに関連してもよい）。代替的かつ／あるいは追加的に、（単一）監視周期によってカバーされる第１のセルに関連する第１の数のシンボル（例えば、ＯＦＤＭシンボルのようなシンボルの量）は、（単一）監視周期によってカバーされる第２のセルに関連する第２の数のシンボル（例えば、ＯＦＤＭシンボルのような量のシンボル）とは異なっていてもよい。例えば、第１のセルは、第１のヌメロロジおよび／または第１のサブキャリア間隔と関連してもよく、かつ／あるいは、第２のセルは、第２のヌメロロジおよび／または第２のサブキャリア間隔と関連してもよい。一例では、第１のセルの第１のヌメロロジおよび／または第１のサブキャリア間隔は、１５ＫＨｚに関連してもよく、かつ／あるいは、第１のセルに関連する（単一）監視周期は、約１ｍｓであってもよい。代替的かつ／あるいは追加的に、第１のセルに関連する（単一）監視周期は、第１のセルに関連する１４シンボル（例えば、ＯＦＤＭシンボル）を含んでもよい。第２のヌメロロジおよび／または第２のサブキャリア間隔は３０ＫＨｚに関連してもよく、かつ／あるいは、（単一）監視周期は、第２のセルに関連する２８シンボル（例えば、ＯＦＤＭシンボル）を含んでもよい（例えば、第１のセルの第１のヌメロロジおよび／または第１のサブキャリア間隔が１５ＫＨｚに関連し、かつ／あるいは、第２のヌメロロジおよび／または第２のサブキャリア間隔が３０ＫＨｚに関連していることによる）。代替的かつ／あるいは追加的に、ヌメロロジおよび／またはサブキャリア間隔と関連するスロットは、ヌメロロジおよび／またはサブキャリア間隔と関連する１４シンボルを含んでもよい。
【０１１５】
いくつかの例において、第２のセルに関連するシンボルの第２の数（例えば、プリエンプション指示の単一の監視周期）は、
【数７８】
2019186927.tif 000080
に基づいて決定されてもよく、ＴＩＮＴは、上位レイヤパラメータMonitoring-periodicity--PDCCH-slot（および／または異なる上位レイヤパラメータ）の値であり、
【数７９】
2019186927.tif 000081
は、スロット当たりのシンボル数（例えば、１４）であり、μは、第２のセルに関連する（第２のセルのサブキャリア間隔設定を示す）ヌメロロジであり、かつ／あるいは、μＩＮＴは、第１のセルに関連する（第１のセル上のＤＬ  ＢＷＰのサブキャリア間隔設定を示す）ヌメロロジである。
【０１１６】
μが１と等しく（例えば、μが１と等しいことは、第２のセルが３０ＫＨｚで設定されることを示すことができる）、μＩＮＴが０に等しく（例えば、μＩＮＴが０に等しいことは、第１のセル（のＢＷＰ）が１５ＫＨｚで設定されることを示すことができる）、かつ／あるいは、ＴＩＮＴが１に等しい例の場合、第２のセルに関連する単一の監視周期によってカバーされるシンボルの第２の数は２８であり得る。代替的かつ／あるいは追加的に、μが０に等しく（例えば、０に等しいことは、第２のセルが１５ＫＨｚで設定されることを示すことができる）、μＩＮＴが１に等しく（例えば、μＩＮＴ１に等しいことは、第１のセル（のＢＷＰ）が３０ＫＨｚで設定されることを示すことができる）、かつ／あるいは、ＴＩＮＴが１に等しい例の場合、第２のセルに関連する単一の監視周期によってカバーされるシンボルの第２の数は７であってもよい。
【０１１７】
いくつかの例において、プリエンプション指示によって示される１つ以上のリソース（例えば、単一のプリエンプション指示）は、監視周期（例えば、単一の監視周期）に関連してもよい。例えば、１つ以上のリソースは、監視周期内にあってもよい。μが０に等しく（例えば、第２のセルが１５ＫＨｚで設定される）、μＩＮＴが１に等しく（例えば、第１のセル（のＢＷＰ）が３０ＫＨｚで設定される）、かつ／あるいはＴＩＮＴが１に等しい例の場合、第１のフォーマット（例えば、ＤＣＩフォーマット２＿１）に関連するフィールド（例えば、単一のフィールド）は、７シンボル（例えば、７ＯＦＤＭシンボル）に関連するプリエンプション指示を示してもよい。
【０１１８】
いくつかの例では、上位レイヤパラメータINT-TF-unitの値が０である場合、（第１のフォーマット（例えば、ＤＣＩフォーマット２＿１）に関連付けられる）フィールド内のビットは、シンボル（例えば、単一のシンボル）に関連してもよく、かつ／あるいは、ビットは、シンボルがプリエンプトされるかどうか（かつ／あるいは、１つ以上の他のシンボルがプリエンプトされるかどうか）を示してもよい。第１の例では、ビットは、シンボルがプリエンプトされる（かつ／あるいは、１つ以上の他のシンボルがプリエンプトされる）ことを示してもよい。第２の例では、ビットは、シンボルがプリエンプトされない（かつ／あるいは、１つ以上の他のシンボルがプリエンプトされない）ことを示してもよい。
【０１１９】
第１のフォーマット（例えば、ＤＣＩフォーマット２＿１）は、サイズ（例えば、サイズは、フィールドのビット数および／またはフィールドのシンボル数に関連してもよい）および／またはフィールドの開始位置に関連してもよい。いくつかの例では、（第１のフォーマット（例えば、ＤＣＩフォーマット２＿１）に関連する、かつ／あるいは、DownlinkPremption情報要素内のdci-PayloadSizeのような１つ以上の上位レイヤパラメータによって示される）サイズは１４の倍数（例えば、フィールドには１４ビットおよび／または１４シンボルがあってもよく、フィールドには２８ビットおよび／または２８シンボルがあってもよい、等）である。代替的かつ／あるいは追加的に、（DownlinkPremption情報要素内のpositionInDCIのような、１つ以上の上位レイヤパラメータによって示されてもよい）開始位置は、１４の倍数である。
【０１２０】
従って、フィールドの１つ以上のビット（例えば、フィールドは１４ビットに関連してもよい）は使用することができない（かつ／あるいは利用することができない）。フィールドに関連するプリエンプション指示が７つのシンボルに関連し、かつ／あるいは、フィールドが、７つのシンボルに関連しているプリエンプション指示を示す場合、フィールドの７つのシンボルの第１のセットが利用されてもよく、かつ／あるいは、フィールドの７つのシンボルの第２のセットが利用されなくてもよい。代替的かつ／あるいは追加的に、基地局が、１４の倍数ではないフィールドのサイズおよび／または開始位置を示す（例えば、７、１５、２０等は１４の倍数ではない）場合、かつ／あるいは、基地局が、１４の倍数ではないフィールドのサイズおよび／または開始位置である設定に関連する命令を送信する場合、ＵＥは、第１のフォーマット（例えば、ＤＣＩフォーマット２＿１）および／または１つ以上の標準に従ってその設定に従わなくてよい（かつ／あるいは従うことができない）。したがって、エラーが発生したり、ＵＥに関連する再設定失敗が発生したりすることがある。例えば、ＵＥは、再設定失敗に関連する１つ以上の動作を実行してもよい（例えば、１つ以上の動作は、再設定失敗を考慮すること、接続再確立手順を実行すること等の１つ以上の動作を含んでもよい）。
【０１２１】
第１の例では、プリエンプション指示に関連するＤＣＩ（例えば、１つ以上のプリエンプション指示のためのＤＣＩ）のサイズおよび／またはプリエンプション指示に関連するフィールドの開始位置は、１４の倍数ではない整数であってもよい。代替的かつ／あるいは追加的に、プリエンプション指示に関連するＤＣＩのサイズは、０と最大サイズ値の間の整数（および／または任意の整数）であってもよい。代替的かつ／あるいは追加的に、プリエンプション指示に関連するフィールドの開始位置は、０と最大開始位置値の間の整数（および／または任意の整数）であってもよい。いくつかの例では、最大サイズ値および／または最大開始位置値は、データベース内に含まれてもよい。例えば、ＵＥは、データベースにアクセスすることによって、最大サイズ値および／または最大開始位置値を決定してもよい。代替的かつ／あるいは追加的に、プリエンプション指示に関連するＤＣＩのサイズおよび／またはプリエンプション指示に関連するフィールドの開始位置は、６の倍数であってもよい。代替的かつ／あるいは追加的に、プリエンプション指示に関連するＤＣＩのサイズおよび／またはプリエンプション指示に関連するフィールドの開始位置は、１２の倍数であってもよい。
【０１２２】
第２の例では、基地局は、プリエンプション指示の監視周期に関連するシンボル数（例えば、ＯＦＤＭシンボル数）が７である場合、第１の上位レイヤパラメータ（例えば、DownlinkPremption情報要素内のtimeFrequencySetに関連し得る上位レイヤパラメータINT-TF-unit）の値を１に設定してもよい。代替的かつ／あるいは追加的に、基地局は、プリエンプション指示の監視周期に関連するシンボル数が７である場合、第１の上位レイヤパラメータの値を０に設定することが許容されない（かつあるいはそのように設定されない）。いくつかの例において、シンボル数は、セルのヌメロロジおよび／またはサブキャリア間隔に関連（かつ／あるいはそれに基づいて設定）してもよい。代替的かつ／あるいは追加的に、シンボル数は、セルのヌメロロジおよび／またはサブキャリア間隔に関連する１つ以上のシンボルに従ってカウントされてもよい。
【０１２３】
いくつかの例では、第１の上位レイヤパラメータ（例えば、DownlinkPremption情報要素内のtimeFrequencySetに関連付けら得る上位レイヤパラメータINT-TF-unit）の値を１に設定することは、各シンボルおよび／またはフィールドに関連する各シンボルグループに対する周波数領域におけるプリエンプトを示すために使用されるフィールドにおける２つのビット（および／または異なるビット）に関連してもよい。代替的かつ／あるいは追加的に、第１の上位レイヤパラメータ（例えば、DownlinkPremption情報要素のtimeFrequencySetに関連付けられる上位レイヤパラメータＩＮＴ−ＴＦ−ｕｎｉｔ）の値を１に設定することは、時間領域におけるプリエンプト表示のための７つのシンボルグループに関連してもよい。
【０１２４】
第３の例では、基地局は、セルに対するプリエンプション指示の監視周期に関連するシンボル数（例えば、ＯＦＤＭシンボル数）が、７より多い（または異なる数）であるように、かつ／あるいは、シンボル数が１２および／または１４の倍数であるように、１つ以上のパラメータを（適切に）設定することができる。代替的かつ／あるいは追加的に、基地局は、セルに対するプリエンプション指示の監視周期に関連するシンボル数が７および／または７未満となるような方法で、１つ以上のパラメータを設定することを許可されない（かつ／あるいは設定されない）。１つ以上のパラメータは、
【数８０】
2019186927.tif 000082
（例えば、スロット当たりのシンボル数）、μ（例えば、（セルのサブキャリア間隔設定を示す）、セルに関連するヌメロロジ）、μＩＮＴ（例えば、（第２のセル上のＤＬ  ＢＷＰのサブキャリア間隔設定を示す）、第２のセル関連するヌメロロジ）および／またはプリエンプション指示監視のために使用するセルの指示に対応することができる。
【０１２５】
第１の実施形態では、基地局は、プリエンプション指示に関連するＤＣＩ（例えば、プリエンプション指示のためのＤＣＩ）のサイズおよび／またはＵＥへの（かつ／あるいはＵＥのための）プリエンプション指示に関連するフィールドの開始位置を設定することができる。いくつかの例において、プリエンプション指示に関連するＤＣＩのサイズおよび／またはプリエンプション指示に関連するフィールドの開始位置は、１４の倍数ではない整数であってもよい。代替的かつ／あるいは追加的に、プリエンプション指示に関連するＤＣＩのサイズは、０と最大サイズ値の間の整数（および／または任意の整数）であってもよい。代替的かつ／あるいは追加的に、プリエンプション指示に関連するフィールドの開始位置は、０と最大開始位置値との間の整数（および／または任意の整数）であってもよい。代替的かつ／あるいは追加的に、プリエンプション指示に関連するＤＣＩのサイズおよび／またはプリエンプション指示に関連するフィールドの開始位置は、７の倍数であってもよい。
【０１２６】
いくつかの例では、プリエンプション指示は、第１のセル上で（ＵＥに）送信されてもよい。代替的かつ／あるいは追加的に、プリエンプション指示は、第１のセルに関連する（かつ／あるいは第１のセルのための）１つ以上のプリエンプトされるリソースを示してもよい。代替的かつ／あるいは追加的に、プリエンプション指示は、第２のセルに関連する（かつ／あるいは第２のセルのための）１つ以上のプリエンプトされるリソースを示してもよい。いくつかの例において、第１のセルおよび／または第２のセルは、単一のサブキャリア間隔（および／または単一のヌメロロジ）で設定されてもよい。
【０１２７】
代替的かつ／あるいは追加的に、第１のセルおよび／または第２のセルは、異なるサブキャリア間隔（および／または異なるヌメロロジ）で設定されてもよい。例えば、第１のセルは、第１のサブキャリア間隔で設定されてもよく、かつ／あるいは、第２のセルは、第２のサブキャリア間隔で設定されてもよく、第１のサブキャリア間隔は、第２のサブキャリア間隔とは異なる。例えば、第１サブキャリア間隔は、第２サブキャリア間隔よりも大きくてもよい（例えば、第１サブキャリア間隔は３０ＫＨｚであってもよく、かつ／あるいは、第２サブキャリア間隔は１５ＫＨｚであってもよい）。代替的かつ／あるいは追加的に、第１のサブキャリア間隔は、第２のサブキャリア間隔よりも小さくてもよい（例えば、第１のサブキャリア間隔は１５ＫＨｚであってもよく、かつ／あるいは、第２のサブキャリア間隔は３０ＫＨｚであってもよい）。
【０１２８】
いくつかの例では、基地局は、第１のＵＥに対して、第１のプリエンプション指示に関連する第１の数Ｘに等しい第１の開始位置を設定してもよい。代替的かつ／あるいは追加的に、基地局は、第２のＵＥに対して、第２のプリエンプション指示に関連する第２の数Ｘ＋Ｙに等しい第２の開始位置を設定してもよい。いくつかの例では、第１の開始位置は、他のビット（および／または他のシンボル）に関して第１のプリエンプション指示に関連する初期ビット（および／または初期シンボル）のビット位置（および／またはシンボル位置）に対応してもよい。代替的かつ／あるいは追加的に、第２の開始位置は、第２のプリエンプション指示に関連する初期ビット（および／または初期シンボル）のビット位置（および／またはシンボル位置）に対応してもよい。
【０１２９】
いくつかの例では、基地局は、第１のＵＥに対して、第１のプリエンプション指示に関連する第１の数Ｘに等しい第１の開始位置を設定してもよい。代替的かつ／あるいは追加的に、基地局は、第１のＵＥに対して、プリエンプション指示のためのＤＣＩフォーマットサイズを設定してもよい。プリエンプション指示のためのＤＣＩフォーマットサイズは、第２の数Ｘ＋Ｙに対応してもよい。
【０１３０】
いくつかの例において、第１のプリエンプション指示は、位置値Ｘ、Ｘ＋１、．．．、Ｘ＋Ｙ−１に等しい第１のビット位置を有する第１のビットに関連してもよい（例えば、第１のビット位置の初期ビット位置は、第１の数Ｘ（例えば、第１の開始位置）に等しくてもよく、初期ビット位置の次のかつ／あるいはその位置に（直接に）続く第１のビット位置の第２のビット位置は、位置値Ｘ＋１に等しくてもよく、第１のビット位置の最終ビット位置は、位置値Ｘ＋Ｙ−１に等しくてもよい）。例えば、第１のビットおよび／または第１のプリエンプション指示は、第１のビット位置で搬送されてもよい。代替的かつ／あるいは追加的に、第１のビットの各ビットは、０および／または１に等しくてもよい。代替的かつ／あるいは追加的に、第２のプリエンプション指示は、第１のビット位置に続く第２のビット位置を有する第２のビットに関連してもよい（例えば、第２のビット位置は、Ｘ＋Ｙ、Ｘ＋Ｙ＋１、．．．）。例えば、第２のビットおよび／または第２のプリエンプション指示は、第２のビット位置で搬送されてもよい。
【０１３１】
一例において、Ｘは０、７の倍数および／または１４の倍数に等しくてもよく、かつ／あるいは、Ｙは７に等しくてもよい。Ｙは１４に等しくない。従って、第１のビット位置の例示的な初期ビット位置は、例示的な位置値０（例えば、第１の開始位置）に等しくてもよい。第１のビット位置の例示的な初期ビット位置に続く例示的な第２のビット位置は、例示的な位置値１に等しくてもよい。第１のビット位置の例示的な第２のビット位置に続く例示的な第３のビット位置は、例示的な位置値２に等しくてもよい。第１のビット位置の例示的な第３のビット位置に続く例示的な第４のビット位置は、例示的な位置値３に等しくてもよい。第１のビット位置の例示的な第４のビット位置に続く例示的な第５のビット位置は、例示的な位置値４に等しくてもよい。第１のビット位置の例示的な第５のビット位置に続く例示的な第６のビット位置は、例示的な位置値５に等しくてもよい。第１のビット位置の例示的な第６のビット位置に続く例示的な第７のビット位置は、例示的な位置値６に等しくてもよい。第１のビット位置の各ビット位置は、第１のプリエンプション指示に関連するビットによって占有されてもよく（かつ／あるいはそれを搬送してもよい）。代替的かつ／あるいは追加的に、第１のビット位置の１つ以上のビット位置は、第１のプリエンプション指示に関連する１つ以上のビットによって占有されてもよい（かつ／あるいはそれを搬送してもよい）。
【０１３２】
いくつかの例では、第１のＵＥは、第２のＵＥと同じでもよい（かつ／あるいは異なってもよい）。代替的かつ／あるいは追加的に、第３の数Ｙは１４でなくてもよい。代替的かつ／あるいは追加的に、第３の数Ｙは７に等しくてもよい。
【０１３３】
代替的かつ／あるいは追加的に、第１のＵＥは、１４の（連続）ビット位置（例えば、１４のビット位置は、Ｘ、Ｘ＋１、Ｘ＋２、．．．、Ｘ＋１３に対応してもよい）を含む（１４ビットの）フィールドから第１のプリエンプション指示を取得してもよい。代替的かつ／あるいは追加的に、第１のプリエンプション指示は、１４のシンボルグループと関連してもよい。例えば、フィールドの各ビットは、シンボルグループに関連してもよい（例えば、１４のビット位置の各ビット位置は、シンボルグループに関連してもよい）。
【０１３４】
代替的かつ／あるいは追加的に、第１のＵＥは、Ｘ、Ｘ＋１、．．．、Ｘ＋Ｙ−１に対応するビット位置に関連するビットに基づいて、１つ以上のスケジュールされたリソースがプリエンプトされるかどうかを決定してもよい。
【０１３５】
いくつかの例において、Ｘ＋Ｙ、Ｘ＋Ｙ＋１、．．．、Ｘ＋１３に対応するビット位置は、０シンボルを含むシンボルグループに関連してもよい（例えば、Ｘ＋Ｙ、Ｘ＋Ｙ＋１、．．．、Ｘ＋１３に対応するビット位置の各ビット位置は、０シンボルを含むシンボルグループに関連してもよい）。
【０１３６】
いくつかの例では、第１のＵＥは、Ｘ＋Ｙ、Ｘ＋Ｙ＋１、．．．、Ｘ＋１３に対応するビット位置に関連するビットに基づいて、１つ以上のスケジュールされたリソースがプリエンプトされるかどうかを決定しなくてもよい。代替的かつ／あるいは追加的に、第１のＵＥは、Ｘ＋Ｙ、Ｘ＋Ｙ＋１、．．．、Ｘ＋１３に対応するビット位置に関連するビットを無視してもよい。
【０１３７】
代替的かつ／あるいは追加的に、第１のＵＥは、Ｘ、Ｘ＋１、．．．、Ｘ＋６に対応するビット位置に関連するビットに基づいて、１つ以上のスケジュールされたリソースがプリエンプトされるかどうかを決定することがある。代替的かつ／あるいは追加的に、Ｘ＋７、Ｘ＋８、．．、Ｘ＋１３に対応するビット位置は、０シンボルを含むシンボルグループと関連してもよい（例えば、Ｘ＋７、Ｘ＋８、．．、Ｘ＋１３に対応するビット位置の各ビット位置は、０シンボルを含むシンボルグループに関連してもよい）。代替的かつ／あるいは追加的に、第１のＵＥは、Ｘ＋７、Ｘ＋８、．．．、Ｘ＋１３に対応するビット位置に関連するビットに基づいて、１つ以上のスケジュールされたリソースがプリエンプトされるかどうかを決定しなくてもよい。代替的かつ／あるいは追加的に、第１のＵＥは、Ｘ＋７、Ｘ＋８、．．．、Ｘ＋１３に対応するビット位置に関連するビットを無視してもよい。
【０１３８】
代替的かつ／あるいは追加的に、第１のＵＥは、第３の数Ｙに等しいビット数を有するフィールドから第１のプリエンプション指示を取得してもよく、フィールドの第１のビットは、Ｘ、Ｘ＋１、Ｘ＋２、．．．、Ｘ＋Ｙ−１に対応する第１のビット位置に対応する。代替的かつ／あるいは追加的に、第１のＵＥは、第１のビット位置に続く第２のビット位置に、１つ以上のゼロビット（例えば、０に等しいビット）を記憶してもよく（かつ／あるいは、第１のビット位置に続く第２のビット位置に１つ以上のゼロビットを追加してもよい）、第１のビットと１つ以上のゼロビットの組み合わせの合計ビット長が１４ビットに等しくなるようにする。代替的かつ／あるいは追加的に、１つ以上のゼロビットのビット数は、１４−Ｙに等しくてもよい。例えば、１４に等しいビット数を有する第２のフィールドは、第１のビット位置および／または第２のビット位置を含む第３のビット位置を占有してもよい。第２のビット位置は、Ｘ＋Ｙ、Ｘ＋Ｙ＋１、．．．、Ｘ＋１３に対応してもよい。第２のビット位置の各ビット位置は、ゼロビットに関連してもよい（例えば、第２のビット位置の各ビット位置は、０によって占有されてもよい）。
【０１３９】
いくつかの例では、第１のプリエンプション指示はシンボルグループに関連してもよい。シンボルグループのシンボルグループ数は、Ｙに等しくてもよい。例えば、第１のビットの各ビット（例えば、Ｙに等しいビット数に関連付けられる）は、複数のシンボルグループのうちのシンボルグループに関連してもよい。
【０１４０】
いくつかの例では、第１のプリエンプション指示は、第１のセル（および／または第３のセル）上で送信（かつ／あるいは使用）されてもよく、かつ／あるいは、第１のセル（および／または第３のセル）上で搬送（および／または使用）されてもよい。代替的かつ／あるいは追加的に、第１のプリエンプション指示は、第２のセル（および／または第４のセル）に関連する１つ以上のスケジューリングリソースがプリエンプトされるかどうかを示してもよい。代替的かつ／あるいは追加的に、第１のプリエンプション指示のための参照リソースは、シンボルを含んでもよく、シンボルのシンボル数は、Ｙに等しくてもよい。
【０１４１】
代替的かつ／あるいは追加的に、第１のＵＥは、７つの（連続）ビット位置（例えば、７のビット位置はＸ、Ｘ＋１、Ｘ＋２、．．．、Ｘ＋６に対応してもよい）を含む（７ビットの）フィールドから第１のプリエンプション指示を取得してもよい。代替的かつ／あるいは追加的に、第１のプリエンプション指示は、７に等しいシンボルグループ数を含むシンボルグループに関連してもよい。代替的かつ／あるいは追加的に、（７ビットの）フィールドの各ビットは、複数のシンボルグループのうちのシンボルグループと関連してもよい。代替的かつ／あるいは追加的に、第１のプリエンプション指示は、第１のセル（および／または第５のセル）上で送信（かつ／あるいは使用）されてもよくことができ、かつ／あるいは、第１のプリエンプション指示は、第１のセル（および／または第５のセル）上で搬送（かつ／あるいは使用）されてもよい。代替的かつ／あるいは追加的に、第１のプリエンプション指示は、第２のセル（および／または第６のセル）に関連する１つ以上のスケジューリングリソースがプリエンプトされるどうかを示してもよい。代替的かつ／あるいは追加的に、第１のプリエンプション指示のための参照リソースは、シンボルを含んでもよく、シンボルのシンボル数は７に等しくてもよい。
【０１４２】
代替的かつ／あるいは追加的に、シンボル数は、第２のセル（および／または第６のセル）に関して（かつ／あるいは、それに基づいて設定されて）もよい。代替的かつ／あるいは追加的に、シンボル数は、第２のセル（および／または第６のセル）に関連するサブキャリア間隔に関して（かつ／あるいは、それに基づいて設定されて）もよい。代替的かつ／あるいは追加的に、シンボル数に関連するシンボル長は、第２のセル（および／または第６のセル）に関連するサブキャリア間隔に基づいてもよい。代替的かつ／あるいは追加的に、シンボルは、第２のセル（および／または第６のセル）に関連するサブキャリア間隔と関連してもよい（かつ／あるいは、シンボルは、第２のセルおよび／または第６のセルのサブキャリア間隔のためのものであってもよい）。代替的かつ／あるいは追加的に、シンボル長は、第２のセル（および／または第６のセル）に関連するサブキャリア間隔に関して（および／または、それに基づいて設定されて）もよい。代替的かつ／あるいは追加的に、シンボル長は、第２のセルに関連するサブキャリア間隔に関連するシンボル長であってもよい。
【０１４３】
代替的かつ／あるいは追加的に、第１の上位レイヤパラメータ（例えば、上位レイヤパラメータINT-TF-unitおよび／または異なる上位レイヤパラメータ）は、第１のプリエンプション指示に対して０に設定されてもよい。代替的かつ／あるいは追加的に、第１の上位レイヤパラメータ（例えば、上位レイヤパラメータINT-TF-unitおよび／または異なる上位レイヤパラメータ）は、第２のセルに対して０に設定されてもよい。代替的かつ／あるいは追加的に、第１の上位レイヤパラメータ（例えば、上位レイヤパラメータINT-TF-unitおよび／または異なる上位レイヤパラメータ）は、第１のＵＥ（および／または第２のＵＥ）に対して０に設定されてもよい。
【０１４４】
代替的かつ／あるいは追加的に、第１のセルに関連する第１のサブキャリア間隔は、第２のセルに関連する第２のサブキャリア間隔よりも小さくてもよい（かつ／あるいはより大きくてもよい）。代替的かつ／あるいは追加的に、第１のセルに関連する第１のサブキャリア間隔は、第２のセルに関連する第２のサブキャリア間隔の半分に等しくてもよい（例えば、第１のサブキャリア間隔は３０ＫＨｚであってもよく、かつ／あるいは、第２のサブキャリア間隔は６０ＫＨｚであってもよい）。代替的かつ／あるいは追加的に、第２のセルに関連する第２のサブキャリア間隔は、第１のセルに関連する第１のサブキャリア間隔の半分に等しくてもよい（例えば、第１のサブキャリア間隔は３０ＫＨｚであってもよく、かつ／あるいは、第２のサブキャリア間隔は１５ＫＨｚであってもよい）。代替的かつ／あるいは追加的に、第１のセルのための第１のサブキャリア間隔は、１５ＫＨｚ、３０ＫＨｚまたは６０ＫＨｚのうちの１つであってもよく、かつ／あるいは、第２のセルのための第２のサブキャリア間隔は、３０ＫＨｚ、６０ＫＨｚまたは１２０ＫＨｚのうちの１つであってもよい。代替的かつ／あるいは追加的に、第１のセルのための第１のサブキャリア間隔は、３０ＫＨｚ、６０ＫＨｚまたは１２０ＫＨｚのうちの１つであってもよく、および／または第２のセルのための第２のサブキャリア間隔は、１５ＫＨｚ、３０ＫＨｚまたは６０ＫＨｚのうちの１つであってもよい。
【０１４５】
代替的かつ／あるいは追加的に、第２の上位レイヤパラメータ（例えば、上位レイヤパラメータMonitoring-periodity-PDCCH-slotおよび／または異なる上位レイヤパラメータ）は、１に等しくてもよい。代替的かつ／あるいは追加的に、組み合わせ
【数８１】
2019186927.tif 000083
は、７に等しくてもよい。
【０１４６】
第２の実施形態では、基地局は、ＵＥのために第１のセルおよび／または第２のセルを設定することができる。基地局は、ＵＥが第１のセル上の（かつ／あるいは、そのセルを使用する）第２のセルに関連するプリエンプション指示を監視するように設定することができる。例えば、基地局は、プリエンプション指示監視に関連する命令をＵＥに送信することができる。代替的かつ／あるいは追加的に、監視周期（プリエンプション指示監視に関連付けられる）に関連するシンボル数（例えば、ＯＦＤＭシンボル数）が７（ＯＦＤＭ）シンボルである場合、基地局は、第１の上位レイヤパラメータ（例えば、上位レイヤパラメータINT-TF-unitおよび／または異なる上位レイヤパラメータ）を１に設定してもよい（かつ／あるいは、基地局は、第１の上位レイヤパラメータを１に設定してもよい）。代替的かつ／あるいは追加的に、（プリエンプション指示監視に関連する）監視周期に関連するシンボル数が７（ＯＦＤＭ）シンボル未満である場合、基地局は、第１の上位レイヤパラメータ（例えば、上位レイヤパラメータINT-TF-unitおよび／または異なる上位レイヤパラメータ）を１に設定してもよい（かつ／あるいは、基地局は、第１の上位レイヤパラメータを１に設定してもよい）。
【０１４７】
代替的かつ／あるいは追加的に、（プリエンプション指示監視に関連する）監視周期に関連するシンボル数が７（ＯＦＤＭ）シンボルである場合、基地局は、第１の上位レイヤパラメータ（例えば、上位レイヤパラメータINT-TF-unitおよび／または異なる上位レイヤパラメータ）を０に設定しなくてもよい（かつ／あるいはしない）（かつ／あるいは、基地局は、第１の上位レイヤパラメータを０に設定しなくてもよい）。代替的かつ／あるいは追加的に、監視周期（プリエンプション指示監視に関連する）に関連するシンボル数が７（ＯＦＤＭ）シンボル未満である場合、基地局は、第１の上位レイヤパラメータ（例えば、上位レイヤパラメータＩＮＴ−ＴＦ-unitおよび／または異なる上位レイヤパラメータ）を０に設定しなくてもよい（かつ／あるいはしない）（かつ／あるいは、基地局は、第１の上位レイヤパラメータを０に設定しなくてもよい）。
【０１４８】
代替的かつ／あるいは追加的に、（プリエンプション指示監視に関連する）監視周期に関連するシンボル数が７（ＯＦＤＭ）シンボルより大きい場合、基地局は、第１の上位レイヤパラメータ（例えば、上位レイヤパラメータINT-TF-unitおよび／または異なる上位レイヤパラメータ）を０および／または１に設定してもよい（かつ／あるいは、基地局は、第１の上位レイヤパラメータを０および／または１に設定してもよい）。例えば、（プリエンプション指示監視に関連する）監視周期に関連するシンボル数は、１２および／または１４であり得る。代替的かつ／あるいは追加的に、（プリエンプション指示監視に関連する）監視周期に関連するシンボル数は、１２の倍数であってもよい。代替的かつ／あるいは追加的に、（プリエンプション指示監視に関連する）監視周期に関連するシンボル数は、１４の倍数であってもよい。
【０１４９】
代替的かつ／あるいは追加的に、シンボル数は、第２のセルに関して（かつ／あるいは、それに基づいて設定されて）もよい。代替的かつ／あるいは追加的に、シンボル数は、第２のセルに関連する第２のサブキャリア間隔に関して（かつ／あるいは、それに基づいて設定されて）もよい。
【０１５０】
代替的かつ／あるいは追加的に、第２のセルに関連する第２のサブキャリア間隔が、第１のセルに関連する第１のサブキャリア間隔未満である場合、および／または（プリエンプション指示監視に関連する）監視周期が１に設定される場合、基地局は、第１の上位レイヤパラメータ（例えば、上位レイヤパラメータINT-TF-unitおよび／または異なる上位レイヤパラメータ）を１に設定してもよい（かつ／あるいは、基地局は、第１の上位レイヤパラメータを１に設定してもよい）。代替的かつ／あるいは追加的に、第２のセルに関連する第２のサブキャリア間隔が、第１のセルに関連する第１のサブキャリア間隔よりも小さい場合、および／または（プリエンプション指示監視に関連する）監視周期が１に設定される場合、基地局は、第１の上位レイヤパラメータ（例えば、上位レイヤパラメータINT-TF-unitおよび／または異なる上位レイヤパラメータ）を０に設定しなくてもよい（かつ／あるいはしない）（かつ／あるいは、基地局は、第１の上位レイヤパラメータを０に設定しなくてもよい）。
【０１５１】
代替的かつ／あるいは追加的に、（プリエンプション指示監視に関連する）監視周期が１より大きい場合（例えば、監視周期が２である場合、および／または監視周期が４である場合）、基地局は、第１の上位レイヤパラメータ（例えば、上位レイヤパラメータＩＮＴ−ＴＦ-unitおよび／または異なる上位レイヤパラメータ）を０および／または１に設定してもよい（かつ／あるいは、基地局は、第１の上位レイヤパラメータを０および／または１に設定してもよい）。
【０１５２】
代替的かつ／あるいは追加的に、第２のセルに関連する第２のサブキャリア間隔が、第１のセルに関連する第１のサブキャリア間隔よりも大きい場合、基地局は、第１の上位レイヤパラメータ（例えば、上位レイヤパラメータINT-TF-unitおよび／または異なる上位レイヤパラメータ）を０および／または１に設定してもよい（かつ／あるいは、基地局は、第１の上位レイヤパラメータを０および／または１に設定してもよい）。
【０１５３】
代替的かつ／あるいは追加的に、第２のセルに関連する第２のサブキャリア間隔が第１のセルに関連する第１のサブキャリア間隔と同じである場合、基地局は、第１の上位レイヤパラメータ（例えば、上位レイヤパラメータＩＮＴ−ＴＦ-unitおよび／または異なる上位レイヤパラメータ）を０および／または１に設定してもよい（かつ／あるいは、基地局は、第１の上位レイヤパラメータを０および／または１に設定してもよい）。
【０１５４】
いくつかの例において、ＵＥは、（第２の実施形態の）上記の設定の１つ以上に従って設定されてもよく、かつ／あるいは、それに従った命令を受信してもよい。代替的かつ／あるいは追加的に、ＵＥは、（第２の実施形態の）上記の設定の１つ以上に矛盾する命令を受信することを（期待）しなくてもよく、かつ／あるいは、ＵＥは、（第２の実施形態の）上記の設定の１つ以上に矛盾する設定を受信しなくてもよい。一例では、ＵＥは、（プリエンプション指示監視に関連する）監視周期に関連するシンボル数が７（ＯＦＤＭ）シンボルである場合、０に等しい値を有する第１の上位レイヤパラメータ（例えば、上位レイヤパラメータＩＮＴ−ＴＦ-unitおよび／または異なる上位レイヤパラメータ）が設定されることを期待しなくてもよい。例えば、（第２の実施形態の）上記の設定の１つ以上に矛盾する命令および／または設定を受信することに応答して、ＵＥは、再設定失敗に関連する１つ以上の動作を実行してもよい。
【０１５５】
第３の実施形態では、基地局は、セルに関連するプリエンプション指示監視に関連する監視周期に関連するシンボル数（例えば、ＯＦＤＭシンボル数）が７シンボルより多くなるように、１つ以上のパラメータを設定することができる。いくつかの例では、１つ以上のパラメータは、上位レイヤパラメータMonitoring-periodity-PDCCH-slot（および／または異なる上位レイヤパラメータ）の値を示す第１のパラメータＴＩＮＴを含んでもよい。代替的かつ／あるいは追加的に、１つ以上のパラメータは、スロット当たりのシンボル数を示す第２のパラメータ
【数８２】
2019186927.tif 000084
を含んでもよい。代替的かつ／あるいは追加的に、１つ以上のパラメータは、第１のセル（例えば、第１のセルはそのセルおよび／または異なるセルであってもよい）に関連するヌメロロジ（および／またはサブキャリア間隔）を示す第３のパラメータμを含んでもよい。代替的かつ／あるいは追加的に、１つ以上のパラメータは、第２のセル（例えば、第２のセルはそのセルおよび／または異なるセルであってもよい）に関連するヌメロロジ（および／またはサブキャリア間隔）を示す第４のパラメータμＩＮＴを含んでもよい。
【０１５６】
代替的かつ／あるいは追加的に、基地局は、（プリエンプション指示監視に関連する）監視周期に関連するシンボル数が１２および／または１４になるように、１つ以上のパラメータを設定してもよい。代替的かつ／あるいは追加的に、基地局は、（プリエンプション指示監視に関連する）監視周期に関連するシンボル数が１２の倍数となるように、１つ以上のパラメータを設定してもよい。代替的かつ／あるいは追加的に、基地局は、監視周期に関連するシンボル数が１４の倍数となるように、１つ以上のパラメータを設定してもよい。
【０１５７】
代替的かつ／あるいは追加的に、基地局は、監視周期（プリエンプション指示監視に関連する）に関連するシンボル数が７（ＯＦＤＭ）シンボルと異なるように、１つ以上のパラメータを設定することができる。代替的かつ／あるいは追加的に、基地局は、（プリエンプション指示監視に関連する）監視周期に関連するシンボル数が７（ＯＦＤＭ）シンボルとなるように、１つ以上のパラメータを設定しなくてもよい（かつ／あるいは設定しない）。代替的かつ／あるいは追加的に、基地局は、（プリエンプション指示監視に関連する）監視周期に関連するシンボル数が７（ＯＦＤＭ）シンボル未満となるように、１つ以上のパラメータを設定しなくてもよい（かつ／あるいは設定しない）。代替的かつ／あるいは追加的に、基地局は、（プリエンプション指示監視に関連する）監視周期に関連するシンボル数が６（ＯＦＤＭ）シンボルとなるように、１つ以上のパラメータを設定しなくてもよい（かつ／あるいは設定しない）。
【０１５８】
いくつかの例において、ＵＥは、（第３の実施形態の）上記の設定の１つ以上に従って設定してもよく、かつ／あるいは、それに従った命令を受信してもよい。代替的かつ／あるいは追加的に、ＵＥは、（第３の実施形態の）上記の設定の１つ以上に矛盾する命令を受信することを（期待）しなくてもよく、かつ／あるいは、ＵＥは、（第３の実施形態の）上記の設定の１つ以上に矛盾する設定を受信しなくてもよい。一例において、ＵＥは、１つ以上のパラメータが、（プリエンプション指示監視に関連する）監視周期に関連するシンボル数が７（ＯＦＤＭ）シンボルである、かつ／あるいは、７（ＯＦＤＭ）シンボル未満であるように設定されることを期待しなくてもよい。例えば、（第３の実施形態の）上記の設定の１つ以上に矛盾する命令および／または設定を受信することに応答して、ＵＥは、再設定失敗に関連する１つ以上の動作を実行してもよい。
【０１５９】
第４の実施形態では、基地局は、組み合わせ
【数８３】
2019186927.tif 000085
が７に等しくなるように１つ以上のパラメータを設定することができる。いくつかの例では、１つ以上のパラメータは、上位レイヤパラメータMonitoring-periodity-PDCCH-slot（および／または異なる上位レイヤパラメータ）の値を示す第１のパラメータＴＩＮＴを含んでもよい。代替的かつ／あるいは追加的に、１つ以上のパラメータは、スロット当たりのシンボル数を示す第２のパラメータ
【数８４】
2019186927.tif 000086
を含んでもよい。代替的かつ／あるいは追加的に、１つ以上のパラメータは、第１のセル（例えば、第１のセルはそのセルおよび／または異なるセルであってもよい）に関連するヌメロロジ（および／またはサブキャリア間隔）を示す第３のパラメータμを含んでもよい。代替的かつ／あるいは追加的に、１つ以上のパラメータは、第２のセル（例えば、第２のセルはそのセルおよび／または異なるセルであってもよい）に関連するヌメロロジ（および／またはサブキャリア間隔）を示す第４のパラメータμＩＮＴを含んでもよい。
【０１６０】
代替的かつ／あるいは追加的に、基地局は、組み合わせ
【数８５】
2019186927.tif 000087
が１２および／または１４に等しくなるように、１つ以上のパラメータを設定してもよい。代替的かつ／あるいは追加的に、基地局は、組み合わせ
【数８６】
2019186927.tif 000088
が１２の倍数に等しくなるように、１つ以上のパラメータを設定してもよい。代替的かつ／あるいは追加的に、基地局は、組み合わせ
【数８７】
2019186927.tif 000089
が１４の倍数に等しくなるように、１つ以上のパラメータを設定してもよい。
【０１６１】
代替的かつ／あるいは追加的に、基地局は、組み合わせ
【数８８】
2019186927.tif 000090
が７に等しくないように、１つ以上のパラメータを設定してもよい。代替的かつ／あるいは追加的に、基地局は、組み合わせ
【数８９】
2019186927.tif 000091
が７に等しくなるように、１つ以上のパラメータを設定しなくてもよい（かつ／あるいは設定しない）。代替的かつ／あるいは追加的に、基地局は、組み合わせ
【数９０】
2019186927.tif 000092
が７未満となるように、１つ以上のパラメータを設定しなくてもよい（かつ／あるいは設定しない）。代替的かつ／あるいは追加的に、基地局は、組み合わせ
【数９１】
2019186927.tif 000093
が６に等しくなるように、１つ以上のパラメータを設定しなくてもよい（かつ／あるいは設定しない）。
【０１６２】
いくつかの例において、ＵＥは、ＵＥは、（第４の実施形態の）上記の設定の１つ以上に従って設定されてもよく、かつ／あるいは、それに従った命令を受信してもよい。代替的かつ／あるいは追加的に、ＵＥは、（第４の実施形態の）上記の設定の１つ以上に矛盾する命令を受信することを（期待）しなくてもよく、かつ／あるいは、ＵＥは、（第４の実施形態の）上記の設定の１つ以上に矛盾する設定を受信しなくてもよい。一例では、ＵＥは、１つ以上のパラメータが、組み合わせ
【数９２】
2019186927.tif 000094
が７以下となるように、１つ以上のパラメータが設定されることを期待しなくてもよい。例えば、（第４の実施形態の）上記の設定の１つ以上に矛盾する命令および／または設定を受信することに応答して、ＵＥは、再設定失敗に関連する１つ以上の動作を実行してもよい。
【０１６３】
いくつかの例では、第１の実施形態、第２の実施形態、第３の実施形態、および第４の実施形態のそれぞれは、独立してかつ／あるいは別々に実施されてもよい。代替的かつ／あるいは追加的に、第１の実施形態、第２の実施形態、第３の実施形態および／または第４の実施形態のうちの１つ以上の組み合わせが実施されてもよい。
【０１６４】
（本明細書で用いる）ＵＥは、送信機に置き換えられてもよいことが理解され得る。例えば、ＵＥに適用するものとして説明した本明細書に提示した１つ以上の技術は、送信機に適用して（も）よい。
【０１６５】
代替的かつ／あるいは追加的に、（本明細書で用いる）ＵＥは、受信機に置き換えられてもよい。例えば、ＵＥに適用するものとして説明した本明細書に提示した１つ以上の技術は、受信機に適用して（も）よい。
【０１６６】
代替的かつ／あるいは追加的に、（本明細書で用いる）ＵＥは、基地局に置き換られてもよい。例えば、ＵＥに適用するものとして説明した本明細書に提示した１つ以上の技術は、基地局に適用して（も）よい。
【０１６７】
代替的かつ／あるいは追加的に、（本明細書で用いる）ＵＥは、スケジューリングされるデバイスに置き換えられてもよい。例えば、ＵＥに適用するものとして説明した本明細書に提示した１つ以上の技術は、スケジューリングされるデバイスに適用して（も）よい。
【０１６８】
代替的かつ／あるいは追加的に、（本明細書で用いる）基地局は、送信機に置き換えられてもよい。例えば、基地局に適用するものとして説明した本明細書に提示した１つ以上の技術は、送信機に適用して（も）よい。
【０１６９】
代替的かつ／あるいは追加的に、（本明細書で用いる）基地局は、受信機に置き換えられてもよい。例えば、基地局に適用するものとして説明した本明細書に提示した１つ以上の技術は、受信機に適用して（も）よい。
【０１７０】
代替的かつ／あるいは追加的に、（本明細書で用いる）基地局は、ＵＥに置き換えられてもよい。例えば、基地局に適用するものとして説明した本明細書に提示した１つ以上の技術は、ＵＥに適用して（も）よい。
【０１７１】
代替的かつ／あるいは追加的に、（本明細書で用いる）基地局は、スケジューラに置き換えられてもよい。例えば、基地局に適用するものとして説明した本明細書に提示した１つ以上の技術は、スケジューラに適用して（も）よい。
【０１７２】
本明細書に提示した技術は、（通信、スケジューリング等に関連する）種々のタイプのリンクに適用されてもよく、基地局とＵＥの間のリンクに限定されないことが理解され得る。例えば、本明細書に提示した１つ以上の技術は、バックホールリンクおよび／またはフロントホールリンク（例えば、複数の基地局および／または複数のネットワークポイント間）、サイドリンクおよび／またはＵＵリンク（例えば、複数のＵＥ間）などに適用してもよい。
【０１７３】
代替的かつ／あるいは追加的に、リソースの（かつ／あるいはリソースのための）シンボル長は、リソースに関連するセルに関してもよい（例えば、リソースのシンボル長は、セルに基づいて設定されてもよく、かつ／あるいは、リソースのシンボル長は、セルによって設定されてもよい）。代替的かつ／あるいは追加的に、リソースのシンボル長は、セルに関連するサブキャリア間隔に関してもよい（例えば、リソースのシンボル長は、セルに関連するサブキャリア間隔に基づいて設定されてもよい）。
【０１７４】
代替的かつ／あるいは追加的に、リソースの（かつ／あるいはリソースのための）シンボル長は、リソースに関するセルに関連するサブキャリア間隔に関連するＯＦＤＭシンボルの長さに対応してもよい。
【０１７５】
代替的かつ／あるいは追加的に、（本明細書で用いる）（物理）データチャネルは、（物理）下りリンク・データチャネル、（物理）上りリンク・データチャネル、および／または（物理）下りリンク・データチャネルおよび（物理）上りリンク・データチャネルの両方を指してもよい。
【０１７６】
図１５は、基地局の観点からの、例示的な一実施形態によるフローチャート１５００である。ステップ１５０５では、基地局は、１つ以上のプリエンプション指示に対応するＤＣＩに関連するサイズでＵＥに設定してもよく、ここで、そのサイズは、１４の倍数ではない整数に等しい（例えば、ＵＥは、ＵＥによるそのサイズで設定され得る）。
【０１７７】
図１６は、基地局の観点からの、例示的な一実施形態によるフローチャート１６００である。ステップ１６０５では、基地局は、１つ以上のプリエンプション指示に対応するフィールドに関連する開始位置でＵＥに設定してもよく、ここで、その開始位置は、１４の倍数ではない整数に等しい（例えば、ＵＥは、ＵＥによるその開始位置で設定され得る）。
【０１７８】
図１７は、ＵＥの観点からの、例示的な一実施形態によるフローチャート１７００である。ステップ１７０５では、１つ以上のプリエンプション指示に対応するＤＣＩに関連するサイズを示す設定が、基地局から受信されてもよく、ここで、そのサイズは、１４の倍数ではない整数に等しい。
【０１７９】
図１８は、ＵＥの観点からの、例示的な一実施形態によるフローチャート１８００である。ステップ１８０５では、１つ以上のプリエンプション指示に対応するフィールドに関連する開始位置を示す設定が、基地局から受信されてもよく、ここで、その開始位置は、１４の倍数ではない整数に等しい。
【０１８０】
上記で説明した、図１５に示される実施形態、図１６に示される実施形態、図１７に示される実施形態および／または図１８に示される実施形態のうちの1つ以上の関連において、整数は０から最大値の間の値に等しくてもよい。
【０１８１】
代替的かつ／あるいは追加的に、（サイズに対応する）整数は、０から最大サイズ値の間の値に等しくてもよい。
【０１８２】
代替的かつ／あるいは追加的に、（開始位置に対応する）整数は、０から最大開始位置値の間の値に等しくてもよい。
【０１８３】
代替的かつ／あるいは追加的に、その整数は７の倍数（例えば、７、１４、２１等）であってもよい。
【０１８４】
代替的かつ／あるいは追加的に、基地局は、プリエンプション指示に対応する（かつ／あるいはそれを含む）グループ共通ＰＤＣＣＨをＵＥに送信してもよい。（グループ共通のＰＤＣＣＨの）１つ以上の第１のビットは、１つ以上のプリエンプトリソースを示す（かつ／あるいはプリエンプション指示である）としてよい。代替的かつ／あるいは追加的に、１つ以上の第１ビットは、１つ以上のプリエンプトリソースをＵＥに示すために使用されてもよい。代替的かつ／あるいは追加的に、１つ以上の第１のビットは、第１の数Ｙビットを含んでもよい。第１の数Ｙは１４より小さくてもよい（例えば、１つ以上のビットは１４ビット未満を含んでもよい）。代替的かつ／あるいは追加的に、第１の数Ｙは７に等しくてもよい（例えば、１つ以上のビットは７ビットを含んでもよい）。代替的かつ／あるいは追加的に、第１の数Ｙは６に等しくてもよい（例えば、１つ以上のビットは６ビットを含んでもよい）。
【０１８５】
代替的かつ／あるいは追加的に、開始位置は、第２の数Ｘに対応してもよい。例えば、第２の数Ｘは、位置値に対応し得る。代替的かつ／あるいは追加的に、１つ以上の第１ビットの初期ビットは、第２数Ｘに等しい初期ビット位置（例えば、開始位置）を有してもよい。代替的かつ／あるいは追加的に、1つ以上の（連続かつ／あるいは非連続）ビット位置は、初期ビット位置（例えば、開始位置）を含み、１つ以上の第１ビットおよび／またはプリエンプション指示を（ＵＥに）搬送するのに使用されてもよい。１つ以上のビット位置は、（連続かつ／あるいは非連続）位置値Ｘ、Ｘ＋１、．．．、Ｘ＋Ｙ−１に対応してもよい。
【０１８６】
代替的かつ／あるいは追加的に、１つ以上の第２のビットは、１つ以上の第２のプリエンプトリソースを（ＵＥに）示すために使用されてもよい。例えば、１つ以上の第２ビットは、１つ以上の第２のプリエンプトリソースおよび／または第２のプリエンプション指示を示してもよい。いくつかの例では、１つ以上の第２のビットの第２の初期ビットは、第３の数Ｘ＋Ｙに等しい第２の初期ビット位置を有してもよい。代替的かつ／あるいは追加的に、第２の初期ビット位置を含む１つ以上の第２のビット位置が、１つ以上の第２のビットおよび／または第２のプリエンプション指示を（ＵＥに）搬送するために使用されてもよい。１つ以上の第２のビット位置は、（連続かつ／あるいは非連続）位置値Ｘ＋Ｙ、Ｘ＋Ｙ＋１、．．．、Ｘ＋１３に対応してもよい。
【０１８７】
代替的かつ／あるいは追加的に、ＵＥは、（ＵＥにスケジューリングされる）１つ以上のリソースが、１つ以上の第１のビットに基づいてプリエンプトされるかどうかを決定してもよい（例えば、１つ以上のプリエンプトリソースは、１つ以上の第１ビットに基づいて識別されてもよい）。代替的かつ／あるいは追加的に、ＵＥは、（ＵＥにスケジューリングされる）１つ以上のリソースが１つ以上の第２のビットに基づいてプリエンプトされるかどうかを決定しなくてもよい（例えば、１つ以上のプリエンプトリソースは、１つ以上の第２のビットに基づいて識別されなくてもよい）。
【０１８８】
代替的かつ／あるいは追加的に、ＵＥは、１つ以上のプリエンプション指示に対応するＤＣＩから、１つ以上のビット（および／または１つ以上の他のビットであって、１つ以上の他のビット数が第１の数Ｙに等しく、かつ／あるいは第１の数Ｙが１４未満である）を取得してもよい。代替的かつ／あるいは追加的に、ＵＥは、１つ以上のプリエンプトリソースを決定するためのフィールド（および／または１つ以上のビットと１つ以上のゼロビットの組み合わせの合計ビット長）が１４ビットに関連するように、１つ以上のビット位置に続く１つ以上の第３のビット位置において１つ以上のゼロビット（例えば、０に等しいビット）を記憶してもよい（かつ／あるいは、１つ以上のビット位置に続く１つ以上の第３のビット位置に1つ以上のゼロビットを追加してもよい）。代替的かつ／あるいは追加的に、１つ以上のゼロビットのビット数は、１４−Ｙに等しくてもよい。
【０１８９】
いくつかの例では、第２のプリエンプション指示は、ＵＥのために（設定）されてもよい（かつ／あるいは、ＵＥによって受信かつ／あるいは分析されてもよい）。代替的かつ／あるいは追加的に、第２のプリエンプション指示は、第２のＵＥに対して（設定）されてもよい（かつ／あるいは、第２のＵＥによって受信かつ／あるいは分析されてもよい）。
【０１９０】
いくつかの例では、複数のプリエンプション指示がＵＥに送信されてもよい。例えば、各プリエンプション指示は、複数のビットセットのうちのあるビットセットを介してＵＥに送信されてもよい。例えば、複数のビットセットのうちの各ビットセットは、第１の数Ｙのビットを含んでもよい（例えば、複数のビットセットのうちの各ビットセットのビット数は、第１の数Ｙに等しくてもよい）。複数のビットセットのうちの各ビットセットは、プリエンプション指示をＵＥに示すために使用されてもよい。
【０１９１】
代替的かつ／あるいは追加的に、１つ以上のビットセット（であって、１つ以上のビットのうちの各ビットセットは、第１の数Ｙのビットを含む）が、プリエンプション指示の監視周期内のシンボル数が１４シンボル未満であるときに（かつ／あるいは、その決定に応答して）、１つ以上のプリエンプション指示をＵＥに示すのに使用されてもよい。代替的かつ／あるいは追加的に、１つ以上のビットセット（であって、１つ以上のビットセットのうちの各ビットセットは、第１の数Ｙのビットを含む）が、プリエンプション指示の監視周期内のシンボル数が１２シンボル未満であるときに（かつ／あるいは、その決定に応答して）、１つ以上のプリエンプション指示をＵＥに示すのに使用されてもよい。代替的かつ／あるいは追加的に、１つ以上のビットセット（であって、１つ以上のビットセットのうちの各ビットセットは、第１の数Ｙのビットを含む）が、プリエンプション指示の監視周期内のシンボル数が７シンボルであるときに（かつ／あるいは、その決定に応答する）に、１つ以上のプリエンプション指示をＵＥに示すために使用されてもよい。
【０１９２】
代替的かつ／あるいは追加的に、開始位置とサイズの差は１４未満としてもよい。代替的かつ／あるいは追加的に、開始位置とサイズの差は７としてもよい。
【０１９３】
図１９は、基地局の観点からの、例示的な一実施形態によるフローチャート１９００である。ステップ１９０５では、ＵＥは、１つ以上のプリエンプション指示に対応するＤＣＩに関連するサイズで設定されてもよい。そのサイズは、規定値の倍数ではない第１の値に等しくてもよい。ステップ１９１０では、ＵＥは、ＤＣＩに関連するフィールド（例えば、フィールドは、ＤＣＩ内にあってもよく、かつ／あるいは、フィールドは、１つ以上のプリエンプション指示に関連してもよい）の開始位置で設定されてもよい。その開始位置は、規定値の倍数である第２の値に等しい。ステップ１９１５では、第１のプリエンプション指示を含む第１のＤＣＩは、サイズおよび／または開始位置に基づいて（かつ／あるいはそれに従って）ＵＥに送信されてもよい。
【０１９４】
図３および図４に戻って参照すると、基地局の例示的な一実施形態では、デバイス３００は、メモリ３１０に記憶されたプログラムコード３１２を含む。ＣＰＵ３０８は、プログラムコード３１２を実行して、（ｉ）１つ以上のプリエンプション指示に対応するＤＣＩに関連するサイズでＵＥを設定することであって、サイズは、規定値の倍数ではない第１の値に等しい、設定することと、（ｉｉ）ＤＣＩに関連するフィールドの開始位置でＵＥを設定することであって、開始位置は、規定値の倍数である第２の値に等しい、設定することと、（ｉｉｉ）サイズおよび／または開始位置に基づいて（かつ／あるいはそれに従って）、第１のプリエンプション指示を含む第１のＤＣＩをＵＥに送信することと、を行ってもよい。さらに、ＣＰＵ３０８は、プログラムコード３１２を実行して、上述のアクションおよび／またはステップ、および／または本明細書に記載の他のことの一部および／または全部を実行することができる。
【０１９５】
図１９に示され、上述した実施形態の関連において、ＵＥは、サイズに基づく第１の設定を生成することによって、かつ／あるいは、第１の設定をＵＥに送信することによって、ＤＣＩに関連するサイズで設定されてもよい。代替的かつ／あるいは追加的に、開始位置は、規定値の倍数である第２の値に等しい（あるいは等しくなければならない）。代替的かつ／あるいは追加的に、サイズは、DownlinkPreeemption情報要素内のdci-PayloadSizeパラメータに対応してもよい。
【０１９６】
代替的かつ／あるいは追加的に、ＵＥは、開始位置に基づく第２の設定を生成することによって、かつ／あるいは、第２の設定をＵＥに送信することによって、ＤＣＩに関連するフィールドの開始位置で設定されてもよい。代替的かつ／あるいは追加的に、開始位置は、DownlinkPreemption情報要素内のpositionInDCIパラメータに対応してもよい。
【０１９７】
代替的かつ／あるいは追加的に、第１のＤＣＩは、ＤＣＩフォーマット２＿１に関連してもよい。代替的かつ／あるいは追加的に、サイズの第１の値は、０と最大サイズ値の間の整数に等しくてもよい。
【０１９８】
代替的かつ／あるいは追加的に、規定値は１４に等しくてもよい。
【０１９９】
図２０は、ＵＥの観点からの、例示的な一実施形態によるフローチャート２０００である。ステップ２００５では、１つ以上のプリエンプション指示に対応するＤＣＩに関連するサイズを示す第１の設定が、基地局から受信されてもよい。サイズは、規定値の倍数ではない第１の値に等しくてもよい。ステップ２０１０では、ＤＣＩに関連するフィールド（例えば、フィールドは、ＤＣＩ内にあってもよく、かつ／あるいは、フィールドは、１つ以上のプリエンプション指示に関連してもよい）の開始位置を示す第２の設定は、基地局から受信されてもよい。開始位置は、規定値の倍数である第２の値に等しくてもよい。ステップ２０１５では、第１のプリエンプション指示を含む第１のＤＣＩは、第１の設定および／または第２の設定に基づいて（かつ／あるいはそれに従って）、基地局から受信されてよい。
【０２００】
図３および図４に戻って参照すると、ＵＥの例示的な一実施形態では、デバイス３００は、メモリ３１０に記憶されたプログラムコード３１２を含む。ＣＰＵ３０８は、基地局からプログラムコード３１２を実行して、（ｉ）基地局から、１つ以上のプリエンプション指示に対応するＤＣＩに関連するサイズを示す第１の設定を受信することであって、サイズは、規定値の倍数ではない第１の値に等しい、受信することと、（ｉｉ）基地局から、ＤＣＩに関連するフィールドの開始位置を示す第２の設定を受信することであって、開始位置は、規定値の倍数である第２の値に等しい、受信することと、（ｉｉｉ）第１の設定および第２の設定に基づいて（かつ／あるいはそれに従ってかつ／あるいはそれに沿って）、基地局から第１のプリエンプション指示を含む第１のＤＣＩを受信することと、を行ってもよい。さらに、ＣＰＵ３０８は、プログラムコード３１２を実行して、上述のアクションおよび／またはステップ、および／または本明細書に記載の他のことの一部および／または全部を実行することができる。
【０２０１】
図２０に示され、上述した実施形態の関連において、ＵＥは、第１の設定の受信に応答して、再設定失敗に関連する１つ以上の動作を実行しなくてもよい（例えば、１つ以上の動作は、再設定失敗を考慮する、接続再確立手順を実行する等のうちの１つ以上を含んでもよい）。代替的かつ／あるいは追加的に、ＵＥは、第２の設定の受信に応答して、再設定失敗に関連する１つ以上の動作を実行しなくてもよい。
【０２０２】
代替的かつ／あるいは追加的に、ＵＥは、開始位置の第２の値が規定値の倍数ではない場合（かつ／あるいは、その決定に応答して）、第２の設定に従わなくてもよい。代替的かつ／あるいは追加的に、ＵＥは、開始位置の第２の値が規定値の倍数ではない場合（かつ／あるいは、その決定に応答して）、再設定失敗に関連する１つ以上の動作を実行してもよい。
【０２０３】
代替的かつ／あるいは追加的に、ＵＥは、基地局から、ＤＣＩに関連するフィールドの開始位置を示す第３の設定を受信し、開始位置は、規定値の倍数ではない第３の値に等しい。ＵＥは、第３の設定に基づいて（かつ／あるいはそれに従ってかつ／あるいはそれに沿って）基地局から第２のプリエンプション指示を含む第２のＤＣＩを受信しない。ＵＥは、第３の設定の受信することに応答して、再設定失敗に関連する１つ以上の動作を実行する。
【０２０４】
代替的かつ／あるいは追加的に、サイズは、DownlinkPreeemption情報要素内のdci-PayloadSizeパラメータに対応してもよい。代替的かつ／あるいは追加的に、開始位置は、DownlinkPreemption情報要素内のpositionInDCIパラメータに対応してもよい。
【０２０５】
代替的かつ／あるいは追加的に、第１のＤＣＩは、ＤＣＩフォーマット２＿１に関連してもよい。代替的かつ／あるいは追加的に、サイズの第１の値は、０と最大サイズ値の間の整数に等しくてもよい。
【０２０６】
代替的かつ／あるいは追加的に、規定値は１４に等しくてもよい。
【０２０７】
本明細書で提示した技術の１つ以上の適用は１つ以上の利点をもたらすことができ、その1つ以上の利点はプリエンプション指示に関連するサイズおよび／または開始位置を決定することについて効率性の向上を含むが、これに限定されないと理解され得る。
【０２０８】
通信デバイス（例えば、ＵＥ、基地局など）を設けてもよく、通信デバイスは、制御回路、制御回路内に設置されたプロセッサ、および／または制御回路内に設置され、プロセッサに結合されたメモリを含んでもよい。プロセッサは、メモリに記憶されたプログラムコードを実行して、図１５、図１６、図１７、図１８、図１９および／または図２０に示される方法ステップを実行するように構成されてもよい。さらに、プロセッサは、プログラムコードを実行して、上述のアクションおよび／またはステップ、および／または本明細書に記載の他のことの一部および／または全部を実行してもよい。
【０２０９】
以上、本開示の種々の態様を説明した。当然のことながら、本明細書の教示内容を多種多様な形態で具現化してよく、本明細書に開示されている如何なる特定の構造、機能、または両者も代表的なものに過ぎない。本明細書の教示内容に基づいて、当業者には当然のことながら、本明細書に開示される態様は、他の如何なる態様からも独立に実装されてよく、これら態様のうちの２つ以上が種々組み合わされてよい。例えば、本明細書に記載された態様のうちの任意の数の態様を用いて、装置が実装されてよく、方法が実現されてよい。追加的に、本明細書に記載された態様のうちの１つ以上の追加または代替で、他の構造、機能、または構造と機能を用いて、このような装置が実装されるようになっていてもよいし、このような方法が実現されるようになっていてもよい。上記概念の一部の一例として、いくつかの態様においては、パルス繰り返し周波数に基づいて、同時チャネルが確立されてよい。いくつかの態様では、パルス位置またはオフセットに基づいて、同時チャネルが確立されてよい。いくつかの態様では、時間ホッピングシーケンスに基づいて、同時チャネルが確立されてよい。いくつかの態様では、パルス繰り返し周波数、パルス位置またはオフセットおよびホッピングシーケンスに基づいて、同時チャネルが確立されてよい。
【０２１０】
当業者であれば、多様な異なるテクノロジおよび技術のいずれかを使用して、情報および信号を表わしてよいを理解するであろう。例えば、上記説明全体で言及されることがあるデータ、命令、コマンド、情報、信号、ビット、シンボル、およびチップは、電圧、電流、電磁波、磁場若しくは粒子、光場若しくは粒子、またはこれらの任意の組み合わせによって表わしてよい。
【０２１１】
さらに、当業者には当然のことながら、本明細書に開示された態様に関連して説明した種々の例示的な論理ブロック、モジュール、プロセッサ、手段、回路、およびアルゴリズムステップは、電子的ハードウェア（例えば、ソースコーディングまたはその他何らかの技術を用いて設計することがあるデジタル実装、アナログ実装、またはこれら２つの組み合わせ）、命令を含む種々の形態のプログラム若しくは設計コード（本明細書においては便宜上、「ソフトウェア」または「ソフトウェアモジュール」と称されることがある）、または両者の組み合わせとして実装されてよい。このハードウェアおよびソフトウェアの互換性を明確に示すため、種々の例示的な構成要素、ブロック、モジュール、回路、およびステップを、概略的にそれぞれの機能の側面から上述した。そのような機能がハードウェアとして実装されるか、ソフトウェアとして実装されるかは、特定用途およびシステム全体に課される設計上の制約によって決まる。当業者であれば、特定各用途に対して、説明した機能を様々なやり方で実装してもよいが、そのような実装の決定は、本開示の範囲からの逸脱の原因として解釈されるべきではない。
【０２１２】
追加的に、本明細書に開示される態様に関連して説明した種々の例示的な論理ブロック、モジュール、および回路は、集積回路（「ＩＣ」）、アクセス端末、またはアクセスポイント内で実装される、あるいはこれらによって実行されてよい。ＩＣとしては、汎用プロセッサ、デジタルシグナルプロセッサ（ＤＳＰ）、特定用途向け集積回路（ＡＳＩＣ）、フィールドプログラマブルゲートアレイ（ＦＰＧＡ）、その他プログラマブル論理デバイス、ディスクリートゲート若しくはトランジスタロジック、ディスクリートハードウェアコンポーネント、電気部品、光学部品、機械部品、または本明細書で説明した機能を実行するように設計されたこれらの任意の組み合わせを含み、ＩＣ内、ＩＣ外、またはその両方に存在するコードまたは命令を実行してよい。汎用プロセッサは、マイクロプロセッサとしてよいが、代替として、プロセッサは、従来の任意のプロセッサ、コントローラ、マイクロコントローラ、または状態機械としてよい。また、プロセッサは、ＤＳＰとマイクロプロセッサとの組み合わせ、複数のマイクロプロセッサ、ＤＳＰコアと協働する１つ以上のマイクロプロセッサ、またはその他任意のこのような構成である、コンピュータデバイスの組み合わせとして実装されてよい。
【０２１３】
任意の開示プロセスにおけるステップの如何なる特定の順序または階層は、実例的な手法の一例であることが了解される。設計の選好に基づいて、プロセスにおけるステップの特定の順序または階層を、本開示の範囲内に留まりつつ、再構成してよいことが了解される。添付の方法の請求項は、種々のステップの要素を実例的な順序で示しており、提示の特定順序または階層に限定されることを意図していない。
【０２１４】
本明細書に開示される態様に関連して記載された方法またはアルゴリズムのステップを、ハードウェアにおいて直接具現化してよく、プロセッサにより実行されるソフトウェアモジュールにおいて具現化してよく、これら２つの組み合わせにおいて具現化してよい。（例えば、実行可能な命令および関連するデータを含む）ソフトウェアモジュールおよび他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、または当技術分野において知られているその他任意の形態のコンピュータ可読記憶媒体に存在してよい。実例的な記憶媒体がコンピュータ／プロセッサ（本明細書においては便宜上、「プロセッサ」と称されることがある）等の機械に結合されてよい、このようなプロセッサは、記憶媒体からの情報（例えば、コード）の読み出しおよび記憶媒体への情報の書き込みが可能である。実例的な記憶媒体は、プロセッサと一体化されてよい。プロセッサおよび記憶媒体は、ＡＳＩＣに存在してよい。ＡＳＩＣは、ユーザ機器に存在していてもよい。代替として、プロセッサおよび記憶媒体は、ディスクリートコンポーネントとしてユーザ機器に存在してよい。さらに、いくつかの態様においては、任意の適当なコンピュータプログラム製品が、本開示の態様のうちの１つ以上に関連するコードを含むコンピュータ可読媒体を含んでもよい。いくつかの態様において、コンピュータプログラム製品は、パッケージング材料を含んでよい。
【０２１５】
以上、種々の態様に関連して開示主題を説明したが、開示主題は、さらに改良可能であることが了解される。本願は、概して開示主題の原理に従うと共に、開示主題が関係する技術分野における既知で慣習的な実施となるような本開示からの逸脱を含む開示主題の任意の変形、使用、または適応を網羅することを意図している。
【図１】
2019186927.tif 000095
【図２】
2019186927.tif 000096
【図３】
2019186927.tif 000097
【図４】
2019186927.tif 000098
【図５】
2019186927.tif 000099
【図６】
2019186927.tif 000100
【図７Ａ】
2019186927.tif 000101
【図７Ｂ】
2019186927.tif 000102
【図８】
2019186927.tif 000103
【図９】
2019186927.tif 000104
【図１０】
2019186927.tif 000105
【図１１】
2019186927.tif 000106
【図１２】
2019186927.tif 000107
【図１３】
2019186927.tif 000108
【図１４】
2019186927.tif 000109
【図１５】
2019186927.tif 000110
【図１６】
2019186927.tif 000111
【図１７】
2019186927.tif 000112
【図１８】
2019186927.tif 000113
【図１９】
2019186927.tif 000114
【図２０】
2019186927.tif 000115
【外国語明細書】
2019186927000001.pdf